(57)【要約】  本発明の実施形態は通信技術の分野に関し、１つのシステムが同時に複数のマルチキャリア技術に対応することを可能にする、周波数分割マルチ波形信号を生成及び処理する方法、並びに装置を開示する。本発明の実施形態で提供される周波数分割マルチ波形信号を生成する方法は、第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するステップであって、Ｍ及びＮはともに正の整数である、ステップと、Ｍ個の周波数領域シンボル及びＮ個の周波数領域シンボルに周波数領域フィルタリングを行うステップと、Ｍ個の周波数領域フィルタリング後の周波数領域シンボル及びＮ個の周波数領域フィルタリング後の周波数領域シンボルから時間領域信号を生成するステップと、を含む。
2017530611.tif 000002
【特許請求の範囲】
【請求項１】
周波数分割マルチ波形信号を生成する方法であって、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するステップであって、Ｍ及びＮはともに正の整数である、ステップと、
前記Ｍ個の周波数領域シンボル及び前記Ｎ個の周波数領域シンボルに周波数領域フィルタリングを行うステップと、
前記Ｍ個の周波数領域フィルタリング後の周波数領域シンボル及び前記Ｎ個の周波数領域フィルタリング後の周波数領域シンボルから時間領域信号を生成するステップと、を含む方法。
【請求項２】
前記第１の波形成分が第１のフィルタバンクマルチキャリアＦＢＭＣ波形成分であり、前記第２の波形成分が第２のＦＢＭＣ波形成分である請求項１に記載の方法。
【請求項３】
前記Ｍ個の周波数領域フィルタリング後の周波数領域シンボル及び前記Ｎ個の周波数領域フィルタリング後の周波数領域シンボルから時間領域信号を生成する前記ステップは、
前記Ｍ個の周波数領域フィルタリング後の周波数領域シンボル及び前記Ｎ個の周波数領域フィルタリング後の周波数領域シンボルから、Ｌ個の時間領域シンボルを含んでいる時間領域信号を生成するステップであって、ＬはＭとＮの和以下であり、前記第１の種類の送信予定データストリームのうちの１つのデータストリームに対応する時間領域シンボルの開始時点が、前記第２の種類の送信予定データストリームのうちの１つのデータストリームに対応する時間領域シンボルの開始時点と同じである場合には、それら２つのデータストリームに対応する周波数領域シンボルは、前記開始時点に属する前記Ｌ個の時間領域シンボルのうちの時間領域シンボルに対応する、ステップを含む請求項１又は２に記載の方法。
【請求項４】
Ｌは１より大きい正の整数であり、前記Ｍ個の周波数領域フィルタリング後の周波数領域シンボル及び前記Ｎ個の周波数領域フィルタリング後の周波数領域シンボルから、Ｌ個の時間領域シンボルを含んでいる時間領域信号を生成する前記ステップは、
前記Ｍ個の周波数領域フィルタリング後の周波数領域シンボル及び前記Ｎ個の周波数領域フィルタリング後の周波数領域シンボルに逆フーリエ変換を行って前記Ｌ個の時間領域シンボルを生成するステップと、
前記Ｌ個の時間領域シンボルのうち最後のＬ−１個の時間領域シンボルにシフト動作を行って、前記Ｌ個の時間領域シンボルのうちａ番目の時間領域シンボルとｂ番目の時間領域シンボルとの間の時間間隔が、前記ａ番目の時間領域シンボルに関係する任意の波形に対応する時間領域シンボル間隔と等しくなるようにするステップであって、前記ａ番目の時間領域シンボルは、前記Ｌ−１個の時間領域シンボルのうちの任意の時間領域シンボルであり、前記ｂ番目の時間領域シンボルは、前記ａ番目の時間領域シンボルより前にあり、前記ａ番目の時間領域シンボルに一番近く、且つ前記ａ番目の時間領域シンボルに関係する前記任意の波形を含む時間領域シンボルである、ステップと、
前記Ｌ個の時間領域シンボルのうち１番目の時間領域シンボル及び前記Ｌ−１個のシフト後の時間領域シンボルに重畳動作を行って前記時間領域信号を生成するステップとを含む請求項３に記載の方法。
【請求項５】
前記第１の波形成分に対応するサブキャリア間隔は、前記第２の波形に対応するサブキャリア間隔と異なる請求項１から４のいずれか一項に記載の方法。
【請求項６】
前記第１の波形成分に対応する前記サブキャリアと、前記第２の波形成分に対応する前記サブキャリアは、同じ基本サブキャリアグループの中の異なる基本サブキャリアである請求項１から５のいずれか一項に記載の方法。
【請求項７】
前記第１の波形成分に対応する前記サブキャリアと前記第２の波形成分に対応する前記サブキャリアとの間に少なくともｒ１＋ｒ２−１個の基本サブキャリア分の間隔があり、ｒ１は、前記第１の波形成分に対応する前記サブキャリア間隔がｒ１個の基本サブキャリア分の間隔に相当することを意味する正の整数であり、ｒ２は、前記第２の波形成分に対応する前記サブキャリア間隔がｒ２個の基本サブキャリア分の間隔に相当することを意味する正の整数である請求項６に記載の方法。
【請求項８】
前記第１の波形成分は、第１のフィルタバンクマルチキャリアＦＢＭＣ波形成分であり、前記第１のＦＢＭＣ波形成分に対応するサブキャリア間隔は、ｒ個の基本サブキャリア分の間隔であり、ｒは、前記第１のＦＢＭＣ波形成分に対応するプロトタイプフィルタの重複係数であり、ｒは正の整数である請求項６又は７に記載の方法。
【請求項９】
当該方法が、
シフト動作情報を受信側に送信するステップを更に含む請求項４に記載の方法。
【請求項１０】
周波数分割マルチ波形信号を処理する方法であって、
第１の波形成分及び第２の波形成分を含む時間領域信号の受信時点を判定するステップと、
前記受信時点に従って前記時間領域信号を受信するステップと、
前記時間領域信号から周波数領域信号を生成するステップと、
前記周波数領域信号の全サブキャリア上のデータに周波数領域フィルタリングを行って前記第１の波形成分に対応するＭ個の周波数領域シンボル及び前記第２の波形成分に対応するＮ個の周波数領域シンボルを取得するステップであって、Ｍ及びＮはともに正の整数である、ステップと、
前記Ｍ個の周波数領域シンボル及び前記Ｎ個の周波数領域シンボルに信号検出を行って前記時間領域信号で搬送される情報を取得するステップとを含む方法。
【請求項１１】
前記第１の波形成分は第１のフィルタバンクマルチキャリアＦＢＭＣ波形成分であり、前記第２の波形成分は第２のＦＢＭＣ波形成分である請求項１０に記載の方法。
【請求項１２】
前記周波数領域信号の全サブキャリア上のデータに周波数領域フィルタリングを行って前記第１の波形成分に対応するＭ個の周波数領域シンボル及び前記第２の波形成分に対応するＮ個の周波数領域シンボルを取得する前記ステップは、
前記第１のＦＢＭＣ波形成分に対応するプロトタイプフィルタを使用して、前記第１のＦＢＭＣ波形成分に対応するサブキャリア上のデータに周波数領域フィルタリングを行って前記第１のＦＢＭＣ波形成分に対応する前記Ｍ個の周波数領域シンボルを取得するステップと、
前記第２のＦＢＭＣ波形成分に対応するプロトタイプフィルタを使用して、前記第２のＦＢＭＣ波形成分に対応するサブキャリア上のデータに周波数領域フィルタリングを行って前記第２のＦＢＭＣ波形成分に対応する前記Ｎ個の周波数領域シンボルを取得するステップとを含む請求項１１に記載の方法。
【請求項１３】
第１の波形成分及び第２の波形成分を含む時間領域信号の受信時点を判定する前記ステップの前に、当該方法が、
前記第１の波形成分及び前記第２の波形成分を含む前記時間領域信号に関するシフト動作情報を受信するステップを更に含み、前記シフト動作情報は送信側によって送信され、
第１の波形成分及び第２の波形成分を含む時間領域信号の受信時点を判定する前記ステップは、
前記シフト動作情報に従って前記時間領域信号の前記受信時点を判定するステップを含む請求項１０から１２のいずれか一項に記載の方法。
【請求項１４】
周波数分割マルチ波形信号を生成する方法であって、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するステップであって、Ｍ及びＮはともに正の整数である、ステップと、
前記Ｎ個の周波数領域シンボルに周波数領域フィルタリングを行うステップと、
前記Ｍ個の周波数領域シンボル及び前記Ｎ個の周波数領域フィルタリング後の周波数領域シンボルから時間領域信号を生成するステップとを含む方法。
【請求項１５】
前記第１の波形成分は直交周波数分割多重化ＯＦＤＭ波形成分であり、前記第２の波形成分はフィルタバンクマルチキャリアＦＢＭＣ波形成分である請求項１４に記載の方法。
【請求項１６】
前記ＦＢＭＣ波形成分に対応するサブキャリア間隔は、前記ＯＦＤＭ波形成分に対応するサブキャリア間隔の整数倍である請求項１５に記載の方法。
【請求項１７】
前記Ｍ個の周波数領域シンボル及び前記Ｎ個の周波数領域フィルタリング後の周波数領域シンボルから時間領域信号を生成する前記ステップは、
前記Ｍ個の周波数領域シンボル及び前記Ｎ個の周波数領域フィルタリング後の周波数領域シンボルから、Ｌ個の時間領域シンボルを含んでいる時間領域信号を生成するステップであって、ＬはＭとＮの和より小さく、前記第１の種類の送信予定データストリームのうちの１つのデータストリームに対応する時間領域シンボルの開始時点が、前記第２の種類の送信予定データストリームのうちの１つのデータストリームに対応する時間領域シンボルの開始時点と同じである場合には、それら２つのデータストリームに対応する周波数領域シンボルは、前記開始時点に属する前記Ｌ個の時間領域シンボルのうちの時間領域シンボルに対応する、ステップを含む請求項１４から１６のいずれか一項に記載の方法。
【請求項１８】
Ｌは１より大きい正の整数であり、前記Ｍ個の周波数領域シンボル及び前記Ｎ個の周波数領域フィルタリング後の周波数領域シンボルから時間領域信号を生成する前記ステップは、
前記Ｍ個の周波数領域シンボル及び前記Ｎ個の周波数領域フィルタリング後の周波数領域シンボルに逆フーリエ変換を行って前記Ｌ個の時間領域シンボルを生成するステップと、
前記Ｌ個の時間領域シンボルのうち最後のＬ−１個の時間領域シンボルにシフト動作を行って、前記Ｌ個の時間領域シンボルのうちａ番目の時間領域シンボルとｂ番目の時間領域シンボルとの間の時間間隔が、前記ａ番目の時間領域シンボルに関係する任意の波形に対応する時間領域シンボル間隔と等しくなるようにするステップであって、前記ａ番目の時間領域シンボルは、前記Ｌ−１個の時間領域シンボルのうちの任意の時間領域シンボルであり、前記ｂ番目の時間領域シンボルは、前記ａ番目の時間領域シンボルより前にあり、前記ａ番目の時間領域シンボルに一番近く、且つ前記ａ番目の時間領域シンボルに関係する前記任意の波形を含む時間領域シンボルである、ステップと、
前記Ｌ個の時間領域シンボルのうち１番目の時間領域シンボル及び前記Ｌ−１個のシフト後の時間領域シンボルに重畳動作を行って前記時間領域信号を生成するステップとを含む請求項１７に記載の方法。
【請求項１９】
前記第１の波形成分に対応する前記サブキャリアと、前記第２の波形成分に対応する前記サブキャリアは、同じ基本サブキャリアグループの中の異なる基本サブキャリアである請求項１４から１８のいずれか一項に記載の方法。
【請求項２０】
前記第１の波形成分に対応する前記サブキャリアと前記第２の波形成分に対応する前記サブキャリアとの間に少なくともｒ１＋ｒ２−１個の基本サブキャリア分の間隔があり、ｒ１は、前記第１の波形成分に対応するサブキャリア間隔がｒ１個の基本サブキャリア分の間隔に相当することを意味する正の整数であり、ｒ２は、前記第２の波形成分に対応するサブキャリア間隔がｒ２個の基本サブキャリア分の間隔に相当することを意味する正の整数である請求項１９に記載の方法。
【請求項２１】
前記第１の波形成分は直交周波数分割多重化ＯＦＤＭ波形成分であり、前記ＯＦＤＭ波形成分に対応するサブキャリア間隔は、１基本サブキャリア分の間隔であるか、又は
前記第２の波形成分はフィルタバンクマルチキャリアＦＢＭＣ波形成分であり、前記ＦＢＭＣ波形成分に対応するサブキャリア間隔は、ｒ個の基本サブキャリア分の間隔であり、ｒは、前記ＦＢＭＣ波形成分に対応するプロトタイプフィルタの重複係数であり、ｒは正の整数である請求項１９又は２０に記載の方法。
【請求項２２】
当該方法が、
シフト動作情報を受信側に送信するステップを更に含む請求項１８に記載の方法。
【請求項２３】
周波数分割マルチ波形信号を処理する方法であって、
第１の波形成分及び第２の波形成分を含む時間領域信号の受信時点を判定するステップと、
前記受信時点に従って前記時間領域信号を受信するステップと、
前記時間領域信号から周波数領域信号を生成するステップであって、前記周波数領域信号は、前記第１の波形成分に対応するＭ個の周波数領域シンボルを含む、ステップと、
前記周波数領域信号の前記第２の波形成分に対応するサブキャリア上のデータに周波数領域フィルタリングを行って前記第２の波形成分に対応するＮ個の周波数領域シンボルを取得するステップと、
前記Ｍ個の周波数領域シンボル及び前記Ｎ個の周波数領域フィルタリング後の周波数領域シンボルに信号検出を行って前記時間領域信号で搬送される情報を取得するステップとを含む方法。
【請求項２４】
前記第１の波形成分は直交周波数分割多重化ＯＦＤＭ波形成分であり、前記第２の波形成分はフィルタバンクマルチキャリアＦＢＭＣ波形成分である請求項２３に記載の方法。
【請求項２５】
第１の波形成分及び第２の波形成分を含む時間領域信号の受信時点を判定する前記ステップの前に、当該方法が、
前記第１の波形成分及び前記第２の波形成分を含む前記時間領域信号に関するシフト動作情報を受信するステップを更に含み、前記シフト動作情報は送信側によって送信され、
第１の波形成分及び第２の波形成分を含む時間領域信号の受信時点を判定する前記ステップは、
前記シフト動作情報に従って前記時間領域信号の前記受信時点を判定するステップを含む請求項２３又は２４に記載の方法。
【請求項２６】
送信側デバイスであって、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するように構成された対応付けユニットであって、Ｍ及びＮはともに正の整数である、対応付けユニットと、
前記Ｍ個の周波数領域シンボル及び前記Ｎ個の周波数領域シンボルに周波数領域フィルタリングを行うように構成された周波数領域フィルタリングユニットと、
前記Ｍ個の周波数領域フィルタリング後の周波数領域シンボル及び前記Ｎ個の周波数領域フィルタリング後の周波数領域シンボルから時間領域信号を生成するように構成された生成ユニットとを備える送信側デバイス。
【請求項２７】
前記第１の波形成分は第１のフィルタバンクマルチキャリアＦＢＭＣ波形成分であり、前記第２の波形成分は第２のＦＢＭＣ波形成分である請求項２６に記載の送信側デバイス。
【請求項２８】
前記生成ユニットは特に、前記Ｍ個の周波数領域フィルタリング後の周波数領域シンボル及び前記Ｎ個の周波数領域フィルタリング後の周波数領域シンボルから、Ｌ個の時間領域シンボルを含んでいる時間領域信号を生成するように構成され、ＬはＭとＮの和以下であり、前記第１の種類の送信予定データストリームのうちの１つのデータストリームに対応する時間領域シンボルの開始時点が、前記第２の種類の送信予定データストリームのうちの１つのデータストリームに対応する時間領域シンボルの開始時点と同じである場合には、それら２つのデータストリームに対応する周波数領域シンボルは、前記開始時点に属する前記Ｌ個の時間領域シンボルのうちの時間領域シンボルに対応する請求項２６又は２７に記載の送信側デバイス。
【請求項２９】
Ｌは１より大きい正の整数であり、前記生成ユニットは特に、
前記Ｍ個の周波数領域フィルタリング後の周波数領域シンボル及び前記Ｎ個の周波数領域フィルタリング後の周波数領域シンボルに逆フーリエ変換を行って前記Ｌ個の時間領域シンボルを生成し、
前記Ｌ個の時間領域シンボルのうち最後のＬ−１個の時間領域シンボルにシフト動作を行って、前記Ｌ個の時間領域シンボルのうちａ番目の時間領域シンボルとｂ番目の時間領域シンボルとの間の時間間隔が、前記ａ番目の時間領域シンボルに関係する任意の波形に対応する時間領域シンボル間隔と等しくなるようにし、前記ａ番目の時間領域シンボルは、前記Ｌ−１個の時間領域シンボルのうちの任意の時間領域シンボルであり、前記ｂ番目の時間領域シンボルは、前記ａ番目の時間領域シンボルより前にあり、前記ａ番目の時間領域シンボルに一番近く、且つ前記ａ番目の時間領域シンボルに関係する前記任意の波形を含む時間領域シンボルであり、
前記Ｌ個の時間領域シンボルのうち１番目の時間領域シンボル及び前記Ｌ−１個のシフト後の時間領域シンボルに重畳動作を行って前記時間領域信号を生成する、ように構成される請求項２８に記載の送信側デバイス。
【請求項３０】
前記第１の波形成分に対応するサブキャリア間隔は、前記第２の波形に対応するサブキャリア間隔と異なる請求項２６から２９のいずれか一項に記載の送信側デバイス。
【請求項３１】
前記第１の波形成分に対応する前記サブキャリアと、前記第２の波形成分に対応する前記サブキャリアは、同じ基本サブキャリアグループの中の異なる基本サブキャリアである請求項２６から３０のいずれか一項に記載の送信側デバイス。
【請求項３２】
前記第１の波形成分に対応する前記サブキャリアと前記第２の波形成分に対応する前記サブキャリアとの間に少なくともｒ１＋ｒ２−１個の基本サブキャリア分の間隔があり、ｒ１は、前記第１の波形成分に対応する前記サブキャリア間隔がｒ１個の基本サブキャリア分の間隔に相当することを意味する正の整数であり、ｒ２は、前記第２の波形成分に対応する前記サブキャリア間隔がｒ２個の基本サブキャリア分の間隔に相当することを意味する正の整数である請求項３１に記載の送信側デバイス。
【請求項３３】
前記第１の波形成分は第１のフィルタバンクマルチキャリアＦＢＭＣ波形成分であり、前記第１のＦＢＭＣ波形成分に対応するサブキャリア間隔は、ｒ個の基本サブキャリア分の間隔であり、ｒは、前記第１のＦＢＭＣ波形成分に対応するプロトタイプフィルタの重複係数であり、ｒは正の整数である請求項３１又は３２に記載の送信側デバイス。
【請求項３４】
当該送信側デバイスが、
シフト動作情報を受信側に送信するように構成された送信ユニットを更に備える請求項２９に記載の送信側デバイス。
【請求項３５】
受信側デバイスであって、
第１の波形成分及び第２の波形成分を含む時間領域信号の受信時点を判定するように構成された判定ユニットと、
前記受信時点に従って前記時間領域信号を受信するように構成された受信ユニットと、
前記時間領域信号から周波数領域信号を生成するように構成された生成ユニットと、
前記周波数領域信号の全サブキャリア上のデータに周波数領域フィルタリングを行って前記第１の波形成分に対応するＭ個の周波数領域シンボル及び前記第２の波形成分に対応するＮ個の周波数領域シンボルを取得するように構成された周波数領域フィルタリングユニットであって、Ｍ及びＮはともに正の整数である、周波数領域フィルタリングユニットと、
前記Ｍ個の周波数領域シンボル及び前記Ｎ個の周波数領域シンボルに信号検出を行って前記時間領域信号で搬送される情報を取得するように構成された信号検出ユニットとを備える受信側デバイス。
【請求項３６】
前記第１の波形成分は第１のフィルタバンクマルチキャリアＦＢＭＣ波形成分であり、前記第２の波形成分は第２のＦＢＭＣ波形成分である請求項３５に記載の受信側デバイス。
【請求項３７】
前記周波数領域フィルタリングユニットは特に、
前記第１のＦＢＭＣ波形成分に対応するプロトタイプフィルタを使用して、前記第１のＦＢＭＣ波形成分に対応するサブキャリア上のデータに周波数領域フィルタリングを行って前記第１のＦＢＭＣ波形成分に対応する前記Ｍ個の周波数領域シンボルを取得し、
前記第２のＦＢＭＣ波形成分に対応するプロトタイプフィルタを使用して、前記第２のＦＢＭＣ波形成分に対応するサブキャリア上のデータに周波数領域フィルタリングを行って前記第２のＦＢＭＣ波形成分に対応する前記Ｎ個の周波数領域シンボルを取得する、ように構成される請求項３６に記載の受信側デバイス。
【請求項３８】
前記受信ユニットは、前記第１の波形成分及び前記第２の波形成分を含む前記時間領域信号に関するシフト動作情報を受信するように更に構成され、前記シフト動作情報は送信側によって送信され、
前記判定ユニットは特に、前記シフト動作情報に従って前記時間領域信号の前記受信時点を判定するように構成される請求項３５から３７のいずれか一項に記載の受信側デバイス。
【請求項３９】
送信側デバイスであって、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するように構成された対応付けユニットであって、Ｍ及びＮはともに正の整数である、対応付けユニットと、
前記Ｎ個の周波数領域シンボルに周波数領域フィルタリングを行うように構成された周波数領域フィルタリングユニットと、
前記Ｍ個の周波数領域シンボル及び前記Ｎ個の周波数領域フィルタリング後の周波数領域シンボルから時間領域信号を生成するように構成された生成ユニットとを備える送信側デバイス。
【請求項４０】
前記第１の波形成分は直交周波数分割多重化ＯＦＤＭ波形成分であり、前記第２の波形成分はフィルタバンクマルチキャリアＦＢＭＣ波形成分である請求項３９に記載の送信側デバイス。
【請求項４１】
前記ＦＢＭＣ波形成分に対応するサブキャリア間隔は、前記ＯＦＤＭ波形成分に対応するサブキャリア間隔の整数倍である請求項４０に記載の送信側デバイス。
【請求項４２】
前記生成ユニットは特に、前記Ｍ個の周波数領域シンボル及び前記Ｎ個の周波数領域フィルタリング後の周波数領域シンボルから、Ｌ個の時間領域シンボルを含んでいる時間領域信号を生成するように構成され、ＬはＭとＮの和より小さく、前記第１の種類の送信予定データストリームのうちの１つのデータストリームに対応する時間領域シンボルの開始時点が、前記第２の種類の送信予定データストリームのうちの１つのデータストリームに対応する時間領域シンボルの開始時点と同じである場合には、それら２つのデータストリームに対応する周波数領域シンボルは、前記開始時点に属する前記Ｌ個の時間領域シンボルのうちの時間領域シンボルに対応する請求項３９から４１のいずれか一項に記載の送信側デバイス。
【請求項４３】
Ｌは１より大きい正の整数であり、前記生成ユニットは特に、
前記Ｍ個の周波数領域シンボル及び前記Ｎ個の周波数領域フィルタリング後の周波数領域シンボルに逆フーリエ変換を行って前記Ｌ個の時間領域シンボルを生成し、
前記Ｌ個の時間領域シンボルのうち最後のＬ−１個の時間領域シンボルにシフト動作を行って、前記Ｌ個の時間領域シンボルのうちａ番目の時間領域シンボルとｂ番目の時間領域シンボルとの間の時間間隔が、前記ａ番目の時間領域シンボルに関係する任意の波形に対応する時間領域シンボル間隔と等しくなるようにし、前記ａ番目の時間領域シンボルは、前記Ｌ−１個の時間領域シンボルのうちの任意の時間領域シンボルであり、前記ｂ番目の時間領域シンボルは、前記ａ番目の時間領域シンボルより前にあり、前記ａ番目の時間領域シンボルに一番近く、且つ前記ａ番目の時間領域シンボルに関係する前記任意の波形を含む時間領域シンボルであり、
前記Ｌ個の時間領域シンボルのうち１番目の時間領域シンボル及び前記Ｌ−１個のシフト後の時間領域シンボルに重畳動作を行って前記時間領域信号を生成する、ように構成される請求項４２に記載の送信側デバイス。
【請求項４４】
前記第１の波形成分に対応する前記サブキャリアと、前記第２の波形成分に対応する前記サブキャリアは、同じ基本サブキャリアグループの中の異なる基本サブキャリアである請求項３９から４３のいずれか一項に記載の送信側デバイス。
【請求項４５】
前記第１の波形成分に対応する前記サブキャリアと前記第２の波形成分に対応する前記サブキャリアとの間に少なくともｒ１＋ｒ２−１個の基本サブキャリア分の間隔があり、ｒ１は、前記第１の波形成分に対応するサブキャリア間隔がｒ１個の基本サブキャリア分の間隔に相当することを意味する正の整数であり、ｒ２は、前記第２の波形成分に対応するサブキャリア間隔がｒ２個の基本サブキャリア分の間隔に相当することを意味する正の整数である請求項４４に記載の送信側デバイス。
【請求項４６】
前記第１の波形成分は直交周波数分割多重化ＯＦＤＭ波形成分であり、前記ＯＦＤＭ波形成分に対応するサブキャリア間隔は、１基本サブキャリア分の間隔であるか、又は
前記第２の波形成分はフィルタバンクマルチキャリアＦＢＭＣ波形成分であり、前記ＦＢＭＣ波形成分に対応するサブキャリア間隔は、ｒ個の基本サブキャリア分の間隔であり、ｒは、前記ＦＢＭＣ波形成分に対応するプロトタイプフィルタの重複係数であり、ｒは正の整数である請求項４４又は４５に記載の送信側デバイス。
【請求項４７】
当該送信側デバイスが、
シフト動作情報を受信側に送信するように構成された送信ユニットを更に備える請求項４３に記載の送信側デバイス。
【請求項４８】
受信側デバイスであって、
第１の波形成分及び第２の波形成分を含む時間領域信号の受信時点を判定するように構成された判定ユニットと、
前記受信時点に従って前記時間領域信号を受信するように構成された受信ユニットと、
前記時間領域信号から周波数領域信号を生成するように構成された生成ユニットであって、前記周波数領域信号は、前記第１の波形成分に対応するＭ個の周波数領域シンボルを含む、生成ユニットと、
前記周波数領域信号の前記第２の波形成分に対応するサブキャリア上のデータに周波数領域フィルタリングを行って前記第２の波形成分に対応するＮ個の周波数領域シンボルを取得するように構成された周波数領域フィルタリングユニットと、
前記Ｍ個の周波数領域シンボル及び前記Ｎ個の周波数領域フィルタリング後の周波数領域シンボルに信号検出を行って前記時間領域信号で搬送される情報を取得するように構成された信号検出ユニットとを備える受信側デバイス。
【請求項４９】
前記第１の波形成分は直交周波数分割多重化ＯＦＤＭ波形成分であり、前記第２の波形成分はフィルタバンクマルチキャリアＦＢＭＣ波形成分である請求項４８に記載の受信側デバイス。
【請求項５０】
前記受信ユニットは、前記第１の波形成分及び前記第２の波形成分を含む前記時間領域信号に関するシフト動作情報を受信するように更に構成され、前記シフト動作情報は送信側によって送信され、
前記判定ユニットは特に、前記シフト動作情報に従って前記時間領域信号の前記受信時点を判定するように構成される請求項４８又は４９に記載の受信側デバイス。
【請求項５１】
送信側デバイスであって、メモリ及びプロセッサを備え、前記メモリはコードのセットを記憶するように構成され、前記コードが使用されて前記プロセッサを制御して、下記の、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成する動作であって、Ｍ及びＮはともに正の整数である、動作と、
前記Ｍ個の周波数領域シンボル及び前記Ｎ個の周波数領域シンボルに周波数領域フィルタリングを行う動作と、
前記Ｍ個の周波数領域フィルタリング後の周波数領域シンボル及び前記Ｎ個の周波数領域フィルタリング後の周波数領域シンボルから時間領域信号を生成する動作と、を実行させる送信側デバイス。
【請求項５２】
前記第１の波形成分は第１のフィルタバンクマルチキャリアＦＢＭＣ波形成分であり、前記第２の波形成分は第２のＦＢＭＣ波形成分である請求項５１に記載の送信側デバイス。
【請求項５３】
前記プロセッサは特に、前記Ｍ個の周波数領域フィルタリング後の周波数領域シンボル及び前記Ｎ個の周波数領域フィルタリング後の周波数領域シンボルから、Ｌ個の時間領域シンボルを含んでいる時間領域信号を生成するように構成され、ＬはＭとＮの和以下であり、前記第１の種類の送信予定データストリームのうちの１つのデータストリームに対応する時間領域シンボルの開始時点が、前記第２の種類の送信予定データストリームのうちの１つのデータストリームに対応する時間領域シンボルの開始時点と同じである場合には、それら２つのデータストリームに対応する周波数領域シンボルは、前記開始時点に属する前記Ｌ個の時間領域シンボルのうちの時間領域シンボルに対応する請求項５１又は５２に記載の送信側デバイス。
【請求項５４】
Ｌは１より大きい正の整数であり、前記プロセッサは特に、
前記Ｍ個の周波数領域フィルタリング後の周波数領域シンボル及び前記Ｎ個の周波数領域フィルタリング後の周波数領域シンボルに逆フーリエ変換を行って前記Ｌ個の時間領域シンボルを生成し、
前記Ｌ個の時間領域シンボルのうち最後のＬ−１個の時間領域シンボルにシフト動作を行って、前記Ｌ個の時間領域シンボルのうちａ番目の時間領域シンボルとｂ番目の時間領域シンボルとの間の時間間隔が、前記ａ番目の時間領域シンボルに関係する任意の波形に対応する時間領域シンボル間隔と等しくなるようにし、前記ａ番目の時間領域シンボルは、前記Ｌ−１個の時間領域シンボルのうちの任意の時間領域シンボルであり、前記ｂ番目の時間領域シンボルは、前記ａ番目の時間領域シンボルより前にあり、前記ａ番目の時間領域シンボルに一番近く、且つ前記ａ番目の時間領域シンボルに関係する前記任意の波形を含む時間領域シンボルであり、
前記Ｌ個の時間領域シンボルのうち１番目の時間領域シンボル及び前記Ｌ−１個のシフト後の時間領域シンボルに重畳動作を行って前記時間領域信号を生成する、ように構成される請求項５３に記載の送信側デバイス。
【請求項５５】
前記第１の波形成分に対応するサブキャリア間隔は、前記第２の波形に対応するサブキャリア間隔と異なる請求項５１から５４のいずれか一項に記載の送信側デバイス。
【請求項５６】
前記第１の波形成分に対応する前記サブキャリアと、前記第２の波形成分に対応する前記サブキャリアは、同じ基本サブキャリアグループの中の異なる基本サブキャリアである請求項５１から５５のいずれか一項に記載の送信側デバイス。
【請求項５７】
前記第１の波形成分に対応する前記サブキャリアと前記第２の波形成分に対応する前記サブキャリアとの間に少なくともｒ１＋ｒ２−１個の基本サブキャリア分の間隔があり、ｒ１は、前記第１の波形成分に対応する前記サブキャリア間隔がｒ１個の基本サブキャリア分の間隔に相当することを意味する正の整数であり、ｒ２は、前記第２の波形成分に対応する前記サブキャリア間隔がｒ２個の基本サブキャリア分の間隔に相当することを意味する正の整数である請求項５６に記載の送信側デバイス。
【請求項５８】
前記第１の波形成分は第１のフィルタバンクマルチキャリアＦＢＭＣ波形成分であり、前記第１のＦＢＭＣ波形成分に対応するサブキャリア間隔は、ｒ個の基本サブキャリア分の間隔であり、ｒは、前記第１のＦＢＭＣ波形成分に対応するプロトタイプフィルタの重複係数であり、ｒは正の整数である請求項５６又は５７に記載の送信側デバイス。
【請求項５９】
当該送信側デバイスが、
シフト動作情報を受信側に送信するように構成された送信器を更に備える請求項５４に記載の送信側デバイス。
【請求項６０】
受信側デバイスであって、メモリ及びプロセッサを備え、前記メモリはコードのセットを記憶するように構成され、前記コードが使用されて前記プロセッサを制御して、下記の、
第１の波形成分及び第２の波形成分を含む時間領域信号の受信時点を判定する動作と、
前記受信時点に従って前記時間領域信号を受信する動作と、
前記時間領域信号から周波数領域信号を生成する動作と、
前記周波数領域信号の全サブキャリア上のデータに周波数領域フィルタリングを行って前記第１の波形成分に対応するＭ個の周波数領域シンボル及び前記第２の波形成分に対応するＮ個の周波数領域シンボルを取得する動作であって、Ｍ及びＮはともに正の整数である、動作と、
前記Ｍ個の周波数領域シンボル及び前記Ｎ個の周波数領域シンボルに信号検出を行って前記時間領域信号で搬送される情報を取得する動作と、を実行させる受信側デバイス。
【請求項６１】
前記第１の波形成分は第１のフィルタバンクマルチキャリアＦＢＭＣ波形成分であり、前記第２の波形成分は第２のＦＢＭＣ波形成分である請求項６０に記載の受信側デバイス。
【請求項６２】
前記プロセッサは特に、
前記第１のＦＢＭＣ波形成分に対応するプロトタイプフィルタを使用して、前記第１のＦＢＭＣ波形成分に対応するサブキャリア上のデータに周波数領域フィルタリングを行って前記第１のＦＢＭＣ波形成分に対応する前記Ｍ個の周波数領域シンボルを取得し、
前記第２のＦＢＭＣ波形成分に対応するプロトタイプフィルタを使用して、前記第２のＦＢＭＣ波形成分に対応するサブキャリア上のデータに周波数領域フィルタリングを行って前記第２のＦＢＭＣ波形成分に対応する前記Ｎ個の周波数領域シンボルを取得する、ように構成される請求項６１に記載の受信側デバイス。
【請求項６３】
当該受信側デバイスが、
前記第１の波形成分及び前記第２の波形成分を含む前記時間領域信号に関するシフト動作情報を受信するように構成された受信器を更に備え、前記シフト動作情報は送信側によって送信され、
前記プロセッサは特に、前記シフト動作情報に従って前記時間領域信号の前記受信時点を判定するように構成される請求項６０から６２のいずれか一項に記載の受信側デバイス。
【請求項６４】
送信側デバイスであって、メモリ及びプロセッサを備え、前記メモリはコードのセットを記憶するように構成され、前記コードが使用されて前記プロセッサを制御して、下記の、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成する動作であって、Ｍ及びＮはともに正の整数である、動作と、
前記Ｎ個の周波数領域シンボルに周波数領域フィルタリングを行う動作と、
前記Ｍ個の周波数領域シンボル及び前記Ｎ個の周波数領域フィルタリング後の周波数領域シンボルから時間領域信号を生成する動作と、を実行させる送信側デバイス。
【請求項６５】
前記第１の波形成分は直交周波数分割多重化ＯＦＤＭ波形成分であり、前記第２の波形成分はフィルタバンクマルチキャリアＦＢＭＣ波形成分である請求項６４に記載の送信側デバイス。
【請求項６６】
前記ＦＢＭＣ波形成分に対応するサブキャリア間隔は、前記ＯＦＤＭ波形成分に対応するサブキャリア間隔の整数倍である請求項６５に記載の送信側デバイス。
【請求項６７】
前記プロセッサは特に、前記Ｍ個の周波数領域シンボル及び前記Ｎ個の周波数領域フィルタリング後の周波数領域シンボルから、Ｌ個の時間領域シンボルを含んでいる時間領域信号を生成するように構成され、ＬはＭとＮの和より小さく、前記第１の種類の送信予定データストリームのうちの１つのデータストリームに対応する時間領域シンボルの開始時点が、前記第２の種類の送信予定データストリームのうちの１つのデータストリームに対応する時間領域シンボルの開始時点と同じである場合には、それら２つのデータストリームに対応する周波数領域シンボルは、前記開始時点に属する前記Ｌ個の時間領域シンボルのうちの時間領域シンボルに対応する請求項６４から６６のいずれか一項に記載の送信側デバイス。
【請求項６８】
Ｌは１より大きい正の整数であり、前記プロセッサは特に、
前記Ｍ個の周波数領域シンボル及び前記Ｎ個の周波数領域フィルタリング後の周波数領域シンボルに逆フーリエ変換を行って前記Ｌ個の時間領域シンボルを生成し、
前記Ｌ個の時間領域シンボルのうち最後のＬ−１個の時間領域シンボルにシフト動作を行って、前記Ｌ個の時間領域シンボルのうちａ番目の時間領域シンボルとｂ番目の時間領域シンボルとの間の時間間隔が、前記ａ番目の時間領域シンボルに関係する任意の波形に対応する時間領域シンボル間隔と等しくなるようにし、前記ａ番目の時間領域シンボルは、前記Ｌ−１個の時間領域シンボルのうちの任意の時間領域シンボルであり、前記ｂ番目の時間領域シンボルは、前記ａ番目の時間領域シンボルより前にあり、前記ａ番目の時間領域シンボルに一番近く、且つ前記ａ番目の時間領域シンボルに関係する前記任意の波形を含む時間領域シンボルであり、
前記Ｌ個の時間領域シンボルのうち１番目の時間領域シンボル及び前記Ｌ−１個のシフト後の時間領域シンボルに重畳動作を行って前記時間領域信号を生成する、ように構成される請求項６７に記載の送信側デバイス。
【請求項６９】
前記第１の波形成分に対応する前記サブキャリアと、前記第２の波形成分に対応する前記サブキャリアは、同じ基本サブキャリアグループの中の異なる基本サブキャリアである請求項６４から６８のいずれか一項に記載の送信側デバイス。
【請求項７０】
前記第１の波形成分に対応する前記サブキャリアと前記第２の波形成分に対応する前記サブキャリアとの間に少なくともｒ１＋ｒ２−１個の基本サブキャリア分の間隔があり、ｒ１は、前記第１の波形成分に対応するサブキャリア間隔がｒ１個の基本サブキャリア分の間隔に相当することを意味する正の整数であり、ｒ２は、前記第２の波形成分に対応するサブキャリア間隔がｒ２個の基本サブキャリア分の間隔に相当することを意味する正の整数である請求項６９に記載の送信側デバイス。
【請求項７１】
前記第１の波形成分は直交周波数分割多重化ＯＦＤＭ波形成分であり、前記ＯＦＤＭ波形成分に対応するサブキャリア間隔は、１基本サブキャリア分の間隔であるか、又は
前記第２の波形成分はフィルタバンクマルチキャリアＦＢＭＣ波形成分であり、前記ＦＢＭＣ波形成分に対応するサブキャリア間隔は、ｒ個の基本サブキャリア分の間隔であり、ｒは、前記ＦＢＭＣ波形成分に対応するプロトタイプフィルタの重複係数であり、ｒは正の整数である請求項６９又は７０に記載の送信側デバイス。
【請求項７２】
当該送信側が、
シフト動作情報を受信側に送信するように構成された送信器を更に備える請求項６８に記載の送信側デバイス。
【請求項７３】
受信側デバイスであって、メモリ及びプロセッサを備え、前記メモリはコードのセットを記憶するように構成され、前記コードが使用されて前記プロセッサを制御して、下記の、
第１の波形成分及び第２の波形成分を含む時間領域信号の受信時点を判定する動作と、
前記受信時点に従って前記時間領域信号を受信する動作と、
前記時間領域信号から周波数領域信号を生成する動作であって、前記周波数領域信号は、前記第１の波形成分に対応するＭ個の周波数領域シンボルを含む、動作と、
前記周波数領域信号の前記第２の波形成分に対応するサブキャリア上のデータに周波数領域フィルタリングを行って前記第２の波形成分に対応するＮ個の周波数領域シンボルを取得する動作と、
前記Ｍ個の周波数領域シンボル及び前記Ｎ個の周波数領域フィルタリング後の周波数領域シンボルに信号検出を行って前記時間領域信号で搬送される情報を取得する動作と、を実行させる受信側デバイス。
【請求項７４】
前記第１の波形成分は直交周波数分割多重化ＯＦＤＭ波形成分であり、前記第２の波形成分はフィルタバンクマルチキャリアＦＢＭＣ波形成分である請求項７３に記載の受信側デバイス。
【請求項７５】
当該受信側デバイスが、
前記第１の波形成分及び前記第２の波形成分を含む前記時間領域信号に関するシフト動作情報を受信するように構成された受信器を更に備え、前記シフト動作情報は送信側によって送信され、
前記プロセッサは特に、前記シフト動作情報に従って前記時間領域信号の前記受信時点を判定するように構成される請求項７３又は７４に記載の受信側デバイス。
【発明の詳細な説明】
【技術分野】
【０００１】
本発明は、通信分野に関し、詳細には、周波数分割マルチ波形信号を生成及び処理する方法、並びに装置に関する。
【背景技術】
【０００２】
マルチキャリア変調技術は、周波数選択性フェーディングの影響を受けにくい優れた特徴のために広く使用されている。よく使用されるマルチキャリア技術には、フィルタバンクマルチキャリア（Filter  Bank  Multicarrier，略してＦＢＭＣ）技術、直交周波数分割多重化（Orthogonal  Frequency  Division  Multiplexing，略してＯＦＤＭ）技術などがある。現在、１つのシステムは１つのマルチキャリア技術にしか対応することができず、複数のマルチキャリア技術に同時に対応することはできない。
【発明の概要】
【０００３】
本発明の実施形態は、１つのシステムが同時に複数のマルチキャリア技術に対応することを可能にする、周波数分割マルチ波形信号を生成及び処理する方法、並びに装置を提供する。
【０００４】
上述の目的を達成するために、下記の技術的解決法が本発明の実施形態で使用される。
【０００５】
第１の態様によれば、周波数分割マルチ波形信号を生成する方法が提供され、この方法は、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するステップであって、Ｍ及びＮはともに正の整数である、ステップと、
Ｍ個の周波数領域シンボル及びＮ個の周波数領域シンボルに周波数領域フィルタリングを行うステップと、
Ｍ個の周波数領域フィルタリング後の周波数領域シンボル及びＮ個の周波数領域フィルタリング後の周波数領域シンボルから時間領域信号を生成するステップと、を含む。
【０００６】
第１の態様に関連して、第１の可能な実装方式では、第１の波形成分は第１のフィルタバンクマルチキャリアＦＢＭＣ波形成分であり、第２の波形成分は第２のＦＢＭＣ波形成分である。
【０００７】
第１の態様又は第１の態様の第１の可能な実装方式に関連して、第２の可能な実装方式では、Ｍ個の周波数領域フィルタリング後の周波数領域シンボル及びＮ個の周波数領域フィルタリング後の周波数領域シンボルから時間領域信号を生成するステップは、
Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成するステップであって、ＬはＭとＮの和以下であり、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する、ステップを含む。
【０００８】
第１の態様の第２の可能な実装方式に関連して、第３の可能な実装方式では、Ｌは１より大きい正の整数であり、Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成するステップは、
Ｍ個の周波数領域フィルタリング後の周波数領域シンボル及びＮ個の周波数領域フィルタリング後の周波数領域シンボルに逆フーリエ変換を行ってＬ個の時間領域シンボルを生成するステップと、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにするステップであって、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルである、ステップと、
Ｌ個の時間領域シンボルのうち１番目の時間領域シンボル及びＬ−１個のシフト後の時間領域シンボルに重畳動作を行って時間領域信号を生成するステップとを含む。
【０００９】
第１の態様、又は第１の態様の第１の可能な実装方式から第３の可能な実装方式のいずれか１つに関連して、第４の可能な実装方式では、第１の波形成分に対応するサブキャリア間隔は、第２の波形に対応するサブキャリア間隔と異なる。
【００１０】
第１の態様、又は第１の態様の第１の可能な実装方式から第４の可能な実装方式のいずれか１つに関連して、第５の可能な実装方式では、第１の波形成分に対応するサブキャリアと、第２の波形成分に対応するサブキャリアは、同じ基本サブキャリアグループの中の異なる基本サブキャリアである。
【００１１】
第１の態様の第５の可能な実装方式に関連して、第６の可能な実装方式では、第１の波形成分に対応するサブキャリアと第２の波形成分に対応するサブキャリアとの間に少なくともｒ１＋ｒ２−１個の基本サブキャリア分の間隔があり、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【００１２】
第１の態様の第５の可能な実装方式又は第６の可能な実装方式に関連して、第７の可能な実装方式では、第１の波形成分は、第１のフィルタバンクマルチキャリアＦＢＭＣ波形成分であり、第１のＦＢＭＣ波形成分に対応するサブキャリア間隔は、ｒ個の基本サブキャリア分の間隔であり、ｒは、第１のＦＢＭＣ波形成分に対応するプロトタイプフィルタの重複係数であり、ｒは正の整数である。
【００１３】
第１の態様の第３の可能な実装方式に関連して、第８の可能な実装方式では、上記方法は、シフト動作情報を受信側に送信するステップを更に含む。
【００１４】
第２の態様によれば、周波数分割マルチ波形信号を処理する方法が提供され、この方法は、
第１の波形成分及び第２の波形成分を含む時間領域信号の受信時点を判定するステップと、
受信時点に従って時間領域信号を受信するステップと、
時間領域信号から周波数領域信号を生成するステップと、
周波数領域信号の全サブキャリア上のデータに周波数領域フィルタリングを行って第１の波形成分に対応するＭ個の周波数領域シンボル及び第２の波形成分に対応するＮ個の周波数領域シンボルを取得するステップであって、Ｍ及びＮはともに正の整数である、ステップと、
Ｍ個の周波数領域シンボル及びＮ個の周波数領域シンボルに信号検出を行って時間領域信号で搬送される情報を取得するステップとを含む。
【００１５】
第２の態様に関連して、第１の可能な実装方式では、第１の波形成分は第１のフィルタバンクマルチキャリアＦＢＭＣ波形成分であり、第２の波形成分は第２のＦＢＭＣ波形成分である。
【００１６】
第２の態様の第１の可能な実装方式に関連して、第２の可能な実装方式では、周波数領域信号の全サブキャリア上のデータに周波数領域フィルタリングを行って第１の波形成分に対応するＭ個の周波数領域シンボル及び第２の波形成分に対応するＮ個の周波数領域シンボルを取得するステップは、
第１のＦＢＭＣ波形成分に対応するプロトタイプフィルタを使用して、第１のＦＢＭＣ波形成分に対応するサブキャリア上のデータに周波数領域フィルタリングを行って第１のＦＢＭＣ波形成分に対応するＭ個の周波数領域シンボルを取得するステップと、
第２のＦＢＭＣ波形成分に対応するプロトタイプフィルタを使用して、第２のＦＢＭＣ波形成分に対応するサブキャリア上のデータに周波数領域フィルタリングを行って第２のＦＢＭＣ波形成分に対応するＮ個の周波数領域シンボルを取得するステップとを含む。
【００１７】
第２の態様、第２の態様の第１の可能な実装方式、又は第２の態様の第２の可能な実装方式のいずれか１つに関連して、第３の可能な実装方式では、第１の波形成分及び第２の波形成分を含む時間領域信号の受信時点を判定するステップの前に、上記方法は、
第１の波形成分及び第２の波形成分を含む時間領域信号に関するシフト動作情報を受信するステップを更に含み、シフト動作情報は送信側によって送信され、
第１の波形成分及び第２の波形成分を含む時間領域信号の受信時点を判定するステップは、
シフト動作情報に従って時間領域信号の受信時点を判定するステップを含む。
【００１８】
第３の態様によれば、周波数分割マルチ波形信号を生成する方法が提供され、この方法は、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するステップであって、Ｍ及びＮはともに正の整数である、ステップと、
Ｎ個の周波数領域シンボルに周波数領域フィルタリングを行うステップと、
Ｍ個の周波数領域シンボル及びＮ個の周波数領域フィルタリング後の周波数領域シンボルから時間領域信号を生成するステップとを含む。
【００１９】
第３の態様に関連して、第１の可能な実装方式では、第１の波形成分は直交周波数分割多重化ＯＦＤＭ波形成分であり、第２の波形成分はフィルタバンクマルチキャリアＦＢＭＣ波形成分である。
【００２０】
第３の態様の第１の可能な実装方式に関連して、第２の可能な実装方式では、ＦＢＭＣ波形成分に対応するサブキャリア間隔は、ＯＦＤＭ波形成分に対応するサブキャリア間隔の整数倍である。
【００２１】
第３の態様、第３の態様の第１の可能な実装方式、又は第３の態様の第２の可能な実装方式のいずれか１つに関連して、第３の可能な実装方式では、Ｍ個の周波数領域シンボル及びＮ個の周波数領域フィルタリング後の周波数領域シンボルから時間領域信号を生成するステップは、
Ｍ個の周波数領域シンボル及びＮ個の周波数領域フィルタリング後の周波数領域シンボルから、Ｌ個の時間領域シンボルを含んでいる時間領域信号を生成するステップであって、ＬはＭとＮの和より小さく、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する、ステップを含む。
【００２２】
第３の態様の第３の可能な実装方式に関連して、第４の可能な実装方式では、Ｌは１より大きい正の整数であり、Ｍ個の周波数領域シンボル及びＮ個の周波数領域フィルタリング後の周波数領域シンボルから時間領域信号を生成するステップは、
Ｍ個の周波数領域シンボル及びＮ個の周波数領域フィルタリング後の周波数領域シンボルに逆フーリエ変換を行ってＬ個の時間領域シンボルを生成するステップと、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにするステップであって、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルである、ステップと、
Ｌ個の時間領域シンボルのうち１番目の時間領域シンボル及びＬ−１個のシフト後の時間領域シンボルに重畳動作を行って時間領域信号を生成するステップとを含む。
【００２３】
第３の態様、又は第３の態様の第１の可能な実装方式から第４の可能な実装方式のいずれか１つに関連して、第５の可能な実装方式では、第１の波形成分に対応するサブキャリアと、第２の波形成分に対応するサブキャリアは、同じ基本サブキャリアグループの中の異なる基本サブキャリアである。
【００２４】
第３の態様の第５の可能な実装方式に関連して、第６の可能な実装方式では、第１の波形成分に対応するサブキャリアと第２の波形成分に対応するサブキャリアとの間に少なくともｒ１＋ｒ２−１個の基本サブキャリア分の間隔があり、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【００２５】
第３の態様の第５の可能な実装方式又は第６の可能な実装方式に関連して、第７の可能な実装方式では、第１の波形成分は、直交周波数分割多重化ＯＦＤＭ波形成分であり、ＯＦＤＭ波形成分に対応するサブキャリア間隔は、１基本サブキャリア分の間隔であるか、又は第２の波形成分はフィルタバンクマルチキャリアＦＢＭＣ波形成分であり、ＦＢＭＣ波形成分に対応するサブキャリア間隔は、ｒ個の基本サブキャリア分の間隔であり、ｒは、ＦＢＭＣ波形成分に対応するプロトタイプフィルタの重複係数であり、ｒは正の整数である。
【００２６】
第３の態様の第４の可能な実装方式に関連して、第８の可能な実装方式では、上記方法は、シフト動作情報を受信側に送信するステップを更に含む。
【００２７】
第４の態様によれば、周波数分割マルチ波形信号を処理する方法が提供され、この方法は、
第１の波形成分及び第２の波形成分を含む時間領域信号の受信時点を判定するステップと、
受信時点に従って時間領域信号を受信するステップと、
時間領域信号から周波数領域信号を生成するステップであって、周波数領域信号は、第１の波形成分に対応するＭ個の周波数領域シンボルを含む、ステップと、
周波数領域信号の第２の波形成分に対応するサブキャリア上のデータに周波数領域フィルタリングを行って第２の波形成分に対応するＮ個の周波数領域シンボルを取得するステップと、
Ｍ個の周波数領域シンボル及びＮ個の周波数領域フィルタリング後の周波数領域シンボルに信号検出を行って時間領域信号で搬送される情報を取得するステップとを含む。
【００２８】
第４の態様に関連して、第１の可能な実装方式では、第１の波形成分は直交周波数分割多重化ＯＦＤＭ波形成分であり、第２の波形成分はフィルタバンクマルチキャリアＦＢＭＣ波形成分である。
【００２９】
第４の態様又は第４の態様の第１の可能な実装方式に関連して、第２の可能な実装方式では、第１の波形成分及び第２の波形成分を含む時間領域信号の受信時点を判定するステップの前に、上記方法は、
第１の波形成分及び第２の波形成分を含む時間領域信号に関するシフト動作情報を受信するステップを更に含み、シフト動作情報は送信側によって送信され、
第１の波形成分及び第２の波形成分を含む時間領域信号の受信時点を判定するステップは、
シフト動作情報に従って時間領域信号の受信時点を判定するステップを含む。
【００３０】
第５の態様によれば、送信側デバイスが提供され、この送信側デバイスは、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するように構成された対応付けユニットであって、Ｍ及びＮはともに正の整数である、対応付けユニットと、
Ｍ個の周波数領域シンボル及びＮ個の周波数領域シンボルに周波数領域フィルタリングを行うように構成された周波数領域フィルタリングユニットと、
Ｍ個の周波数領域フィルタリング後の周波数領域シンボル及びＮ個の周波数領域フィルタリング後の周波数領域シンボルから時間領域信号を生成するように構成された生成ユニットとを備える。
【００３１】
第５の態様に関連して、第１の可能な実装方式では、第１の波形成分は第１のフィルタバンクマルチキャリアＦＢＭＣ波形成分であり、第２の波形成分は第２のＦＢＭＣ波形成分である。
【００３２】
第５の態様又は第５の態様の第１の可能な実装方式に関連して、第２の可能な実装方式では、生成ユニットは特に、Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成するように構成され、ＬはＭとＮの和以下であり、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【００３３】
第５の態様の第２の可能な実装方式に関連して、第３の可能な実装方式では、Ｌは１より大きい正の整数であり、生成ユニットは特に、
Ｍ個の周波数領域フィルタリング後の周波数領域シンボル及びＮ個の周波数領域フィルタリング後の周波数領域シンボルに逆フーリエ変換を行ってＬ個の時間領域シンボルを生成し、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであり、
Ｌ個の時間領域シンボルのうち１番目の時間領域シンボル及びＬ−１個のシフト後の時間領域シンボルに重畳動作を行って時間領域信号を生成する、ように構成される。
【００３４】
第５の態様、又は第５の態様の第１の可能な実装方式から第３の可能な実装方式のいずれか１つに関連して、第４の可能な実装方式では、第１の波形成分に対応するサブキャリア間隔は、第２の波形に対応するサブキャリア間隔と異なる。
【００３５】
第５の態様、又は第５の態様の第１の可能な実装方式から第４の可能な実装方式のいずれか１つに関連して、第５の可能な実装方式では、第１の波形成分に対応するサブキャリアと、第２の波形成分に対応するサブキャリアは、同じ基本サブキャリアグループの中の異なる基本サブキャリアである。
【００３６】
第５の態様の第５の可能な実装方式に関連して、第６の可能な実装方式では、第１の波形成分に対応するサブキャリアと第２の波形成分に対応するサブキャリアとの間に少なくともｒ１＋ｒ２−１個の基本サブキャリア分の間隔があり、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【００３７】
第５の態様の第５の可能な実装方式又は第６の可能な実装方式に関連して、第７の可能な実装方式では、第１の波形成分は第１のフィルタバンクマルチキャリアＦＢＭＣ波形成分であり、第１のＦＢＭＣ波形成分に対応するサブキャリア間隔は、ｒ個の基本サブキャリア分の間隔であり、ｒは、第１のＦＢＭＣ波形成分に対応するプロトタイプフィルタの重複係数であり、ｒは正の整数である。
【００３８】
第５の態様の第３の可能な実装方式に関連して、第８の可能な実装方式では、送信側デバイスは、
シフト動作情報を受信側に送信するように構成された送信ユニットを更に備える。
【００３９】
第６の態様によれば、受信側デバイスが提供され、この受信側デバイスは、
第１の波形成分及び第２の波形成分を含む時間領域信号の受信時点を判定するように構成された判定ユニットと、
受信時点に従って時間領域信号を受信するように構成された受信ユニットと、
時間領域信号から周波数領域信号を生成するように構成された生成ユニットと、
周波数領域信号の全サブキャリア上のデータに周波数領域フィルタリングを行って第１の波形成分に対応するＭ個の周波数領域シンボル及び第２の波形成分に対応するＮ個の周波数領域シンボルを取得するように構成された周波数領域フィルタリングユニットであって、Ｍ及びＮはともに正の整数である、周波数領域フィルタリングユニットと、
Ｍ個の周波数領域シンボル及びＮ個の周波数領域シンボルに信号検出を行って時間領域信号で搬送される情報を取得するように構成された信号検出ユニットとを備える。
【００４０】
第６の態様に関連して、第１の可能な実装方式では、第１の波形成分は、第１のフィルタバンクマルチキャリアＦＢＭＣ波形成分であり、第２の波形成分は第２のＦＢＭＣ波形成分である。
【００４１】
第６の態様の第１の可能な実装方式に関連して、第２の可能な実装方式では、周波数領域フィルタリングユニットは特に、
第１のＦＢＭＣ波形成分に対応するプロトタイプフィルタを使用して、第１のＦＢＭＣ波形成分に対応するサブキャリア上のデータに周波数領域フィルタリングを行って第１のＦＢＭＣ波形成分に対応するＭ個の周波数領域シンボルを取得し、
第２のＦＢＭＣ波形成分に対応するプロトタイプフィルタを使用して、第２のＦＢＭＣ波形成分に対応するサブキャリア上のデータに周波数領域フィルタリングを行って第２のＦＢＭＣ波形成分に対応するＮ個の周波数領域シンボルを取得する、ように構成される。
【００４２】
第６の態様、第６の態様の第１の可能な実装方式、又は第６の態様の第２の可能な実装方式のいずれか１つに関連して、第３の可能な実装方式では、
受信ユニットは、第１の波形成分及び第２の波形成分を含む時間領域信号に関するシフト動作情報を受信するように更に構成され、シフト動作情報は送信側によって送信され、
判定ユニットは特に、シフト動作情報に従って時間領域信号の受信時点を判定するように構成される。
【００４３】
第７の態様によれば、送信側デバイスが提供され、この送信側デバイスは、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するように構成された対応付けユニットであって、Ｍ及びＮはともに正の整数である、対応付けユニットと、
Ｎ個の周波数領域シンボルに周波数領域フィルタリングを行うように構成された周波数領域フィルタリングユニットと、
Ｍ個の周波数領域シンボル及びＮ個の周波数領域フィルタリング後の周波数領域シンボルから時間領域信号を生成するように構成された生成ユニットとを備える。
【００４４】
第７の態様に関連して、第１の可能な実装方式では、第１の波形成分は直交周波数分割多重化ＯＦＤＭ波形成分であり、第２の波形成分はフィルタバンクマルチキャリアＦＢＭＣ波形成分である。
【００４５】
第７の態様の第１の可能な実装方式に関連して、第２の可能な実装方式では、ＦＢＭＣ波形成分に対応するサブキャリア間隔は、ＯＦＤＭ波形成分に対応するサブキャリア間隔の整数倍である。
【００４６】
第７の態様、第７の態様の第１の可能な実装方式、又は第７の態様の第２の可能な実装方式のいずれか１つに関連して、第３の可能な実装方式では、生成ユニットは特に、Ｍ個の周波数領域シンボル及びＮ個の周波数領域フィルタリング後の周波数領域シンボルから、Ｌ個の時間領域シンボルを含んでいる時間領域信号を生成するように構成され、ＬはＭとＮの和より小さく、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【００４７】
第７の態様の第３の可能な実装方式に関連して、第４の可能な実装方式では、Ｌは１より大きい正の整数であり、生成ユニットは特に、
Ｍ個の周波数領域シンボル及びＮ個の周波数領域フィルタリング後の周波数領域シンボルに逆フーリエ変換を行ってＬ個の時間領域シンボルを生成し、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであり、
Ｌ個の時間領域シンボルのうち１番目の時間領域シンボル及びＬ−１個のシフト後の時間領域シンボルに重畳動作を行って時間領域信号を生成する、ように構成される。
【００４８】
第７の態様、又は第７の態様の第１の可能な実装方式から第４の可能な実装方式のいずれか１つに関連して、第５の可能な実装方式では、第１の波形成分に対応するサブキャリアと、第２の波形成分に対応するサブキャリアは、同じ基本サブキャリアグループの中の異なる基本サブキャリアである。
【００４９】
第７の態様の第５の可能な実装方式に関連して、第６の可能な実装方式では、第１の波形成分に対応するサブキャリアと第２の波形成分に対応するサブキャリアとの間に少なくともｒ１＋ｒ２−１個の基本サブキャリア分の間隔があり、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【００５０】
第７の態様の第５の可能な実装方式又は第６の可能な実装方式に関連して、第７の可能な実装方式では、第１の波形成分は直交周波数分割多重化ＯＦＤＭ波形成分であり、ＯＦＤＭ波形成分に対応するサブキャリア間隔は、１基本サブキャリア分の間隔であるか、又は第２の波形成分はフィルタバンクマルチキャリアＦＢＭＣ波形成分であり、ＦＢＭＣ波形成分に対応するサブキャリア間隔は、ｒ個の基本サブキャリア分の間隔であり、ｒは、ＦＢＭＣ波形成分に対応するプロトタイプフィルタの重複係数であり、ｒは正の整数である。
【００５１】
第７の態様の第４の可能な実装方式に関連して、第８の可能な実装方式では、送信側デバイスは、シフト動作情報を受信側に送信するように構成された送信器を更に備える。
【００５２】
第８の態様によれば、受信側デバイスが提供され、この受信側デバイスは、
第１の波形成分及び第２の波形成分を含む時間領域信号の受信時点を判定するように構成された判定ユニットと、
受信時点に従って時間領域信号を受信するように構成された受信ユニットと、
時間領域信号から周波数領域信号を生成するように構成された生成ユニットであって、周波数領域信号は、第１の波形成分に対応するＭ個の周波数領域シンボルを含む、生成ユニットと、
周波数領域信号の第２の波形成分に対応するサブキャリア上のデータに周波数領域フィルタリングを行って第２の波形成分に対応するＮ個の周波数領域シンボルを取得するように構成された周波数領域フィルタリングユニットと、
Ｍ個の周波数領域シンボル及びＮ個の周波数領域フィルタリング後の周波数領域シンボルに信号検出を行って時間領域信号で搬送される情報を取得するように構成された信号検出ユニットとを備える。
【００５３】
第８の態様に関連して、第１の可能な実装方式では、第１の波形成分は直交周波数分割多重化ＯＦＤＭ波形成分であり、第２の波形成分はフィルタバンクマルチキャリアＦＢＭＣ波形成分である。
【００５４】
第８の態様又は第８の態様の第１の可能な実装方式によって、第２の可能な実装方式では、受信ユニットは、第１の波形成分及び第２の波形成分を含む時間領域信号に関するシフト動作情報を受信するように更に構成され、シフト動作情報は送信側によって送信され、
判定ユニットは特に、シフト動作情報に従って時間領域信号の受信時点を判定するように構成される。
【００５５】
第９の態様によれば、送信側デバイスが提供され、この送信側デバイスは、メモリ及びプロセッサを備え、メモリはコードのセットを記憶するように構成され、そのコードが使用されてプロセッサを制御して、下記の、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成する動作であって、Ｍ及びＮはともに正の整数である、動作と、
Ｍ個の周波数領域シンボル及びＮ個の周波数領域シンボルに周波数領域フィルタリングを行う動作と、
Ｍ個の周波数領域フィルタリング後の周波数領域シンボル及びＮ個の周波数領域フィルタリング後の周波数領域シンボルから時間領域信号を生成する動作と、を実行させる。
【００５６】
第９の態様に関連して、第１の可能な実装方式では、第１の波形成分は第１のフィルタバンクマルチキャリアＦＢＭＣ波形成分であり、第２の波形成分は第２のＦＢＭＣ波形成分である。
【００５７】
第９の態様又は第９の態様の第１の可能な実装方式に関連して、第２の可能な実装方式では、プロセッサは特に、Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成するように構成され、ＬはＭとＮの和以下であり、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【００５８】
第９の態様の第２の可能な実装方式に関連して、第３の可能な実装方式では、Ｌは１より大きい正の整数であり、プロセッサは特に、
Ｍ個の周波数領域フィルタリング後の周波数領域シンボル及びＮ個の周波数領域フィルタリング後の周波数領域シンボルに逆フーリエ変換を行ってＬ個の時間領域シンボルを生成し、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであり、
Ｌ個の時間領域シンボルのうち１番目の時間領域シンボル及びＬ−１個のシフト後の時間領域シンボルに重畳動作を行って時間領域信号を生成する、ように構成される。
【００５９】
第９の態様、又は第９の態様の第１の可能な実装方式から第３の可能な実装方式のいずれか１つに関連して、第４の可能な実装方式では、第１の波形成分に対応するサブキャリア間隔は、第２の波形に対応するサブキャリア間隔と異なる。
【００６０】
第９の態様、又は第９の態様の第１の可能な実装方式から第４の可能な実装方式のいずれか１つに関連して、第５の可能な実装方式では、第１の波形成分に対応するサブキャリアと、第２の波形成分に対応するサブキャリアは、同じ基本サブキャリアグループの中の異なる基本サブキャリアである。
【００６１】
第９の態様の第５の可能な実装方式に関連して、第６の可能な実装方式では、第１の波形成分に対応するサブキャリアと第２の波形成分に対応するサブキャリアとの間に少なくともｒ１＋ｒ２−１個の基本サブキャリア分の間隔があり、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【００６２】
第９の態様の第５の可能な実装方式又は第６の可能な実装方式に関連して、第７の可能な実装方式では、第１の波形成分は第１のフィルタバンクマルチキャリアＦＢＭＣ波形成分であり、第１のＦＢＭＣ波形成分に対応するサブキャリア間隔は、ｒ個の基本サブキャリア分の間隔であり、ｒは、第１のＦＢＭＣ波形成分に対応するプロトタイプフィルタの重複係数であり、ｒは正の整数である。
【００６３】
第９の態様の第３の可能な実装方式に関連して、第８の可能な実装方式では、送信側デバイスは、
シフト動作情報を受信側に送信するように構成された送信器を更に備える。
【００６４】
第１０の態様によれば、受信側デバイスが提供され、この受信側デバイスは、メモリ及びプロセッサを備え、メモリはコードのセットを記憶するように構成され、そのコードが使用されてプロセッサを制御して、下記の、
第１の波形成分及び第２の波形成分を含む時間領域信号の受信時点を判定する動作と、
受信時点に従って時間領域信号を受信する動作と、
時間領域信号から周波数領域信号を生成する動作と、
周波数領域信号の全サブキャリア上のデータに周波数領域フィルタリングを行って第１の波形成分に対応するＭ個の周波数領域シンボル及び第２の波形成分に対応するＮ個の周波数領域シンボルを取得する動作であって、Ｍ及びＮはともに正の整数である、動作と、
Ｍ個の周波数領域シンボル及びＮ個の周波数領域シンボルに信号検出を行って時間領域信号で搬送される情報を取得する動作と、を実行させる。
【００６５】
第１０の態様に関連して、第１の可能な実装方式では、第１の波形成分は第１のフィルタバンクマルチキャリアＦＢＭＣ波形成分であり、第２の波形成分は第２のＦＢＭＣ波形成分である。
【００６６】
第１０の態様の第１の可能な実装方式に関連して、第２の可能な実装方式では、プロセッサは特に、
第１のＦＢＭＣ波形成分に対応するプロトタイプフィルタを使用して、第１のＦＢＭＣ波形成分に対応するサブキャリア上のデータに周波数領域フィルタリングを行って第１のＦＢＭＣ波形成分に対応するＭ個の周波数領域シンボルを取得し、
第２のＦＢＭＣ波形成分に対応するプロトタイプフィルタを使用して、第２のＦＢＭＣ波形成分に対応するサブキャリア上のデータに周波数領域フィルタリングを行って第２のＦＢＭＣ波形成分に対応するＮ個の周波数領域シンボルを取得する、ように構成される。
【００６７】
第１０の態様、第１０の態様の第１の可能な実装方式、又は第１０の態様の第２の可能な実装方式のいずれか１つに関連して、第３の可能な実装方式では、受信側デバイスは、
第１の波形成分及び第２の波形成分を含む時間領域信号に関するシフト動作情報を受信するように構成された受信器を更に備え、シフト動作情報は送信側によって送信され、
プロセッサは特に、シフト動作情報に従って時間領域信号の受信時点を判定するように構成される。
【００６８】
第１１の態様によれば、送信側デバイスが提供され、この送信側デバイスはメモリ及びプロセッサを備え、メモリはコードのセットを記憶するように構成され、そのコードが使用されてプロセッサを制御して、下記の、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成する動作であって、Ｍ及びＮはともに正の整数である、動作と、
Ｎ個の周波数領域シンボルに周波数領域フィルタリングを行う動作と、
Ｍ個の周波数領域シンボル及びＮ個の周波数領域フィルタリング後の周波数領域シンボルから時間領域信号を生成する動作と、を実行させる。
【００６９】
第１１の態様に関連して、第１の可能な実装方式では、第１の波形成分は直交周波数分割多重化ＯＦＤＭ波形成分であり、第２の波形成分はフィルタバンクマルチキャリアＦＢＭＣ波形成分である。
【００７０】
第１１の態様の第１の可能な実装方式に関連して、第２の可能な実装方式では、ＦＢＭＣ波形成分に対応するサブキャリア間隔は、ＯＦＤＭ波形成分に対応するサブキャリア間隔の整数倍である。
【００７１】
第１１の態様、第１１の態様の第１の可能な実装方式、又は第１１の態様の第２の可能な実装方式のいずれか１つに関連して、第３の可能な実装方式では、プロセッサは特に、Ｍ個の周波数領域シンボル及びＮ個の周波数領域フィルタリング後の周波数領域シンボルから、Ｌ個の時間領域シンボルを含んでいる時間領域信号を生成するように構成され、ＬはＭとＮの和より小さく、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【００７２】
第１１の態様の第３の可能な実装方式に関連して、第４の可能な実装方式では、Ｌは１より大きい正の整数であり、プロセッサは特に、
Ｍ個の周波数領域シンボル及びＮ個の周波数領域フィルタリング後の周波数領域シンボルに逆フーリエ変換を行ってＬ個の時間領域シンボルを生成し、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであり、
Ｌ個の時間領域シンボルのうち１番目の時間領域シンボル及びＬ−１個のシフト後の時間領域シンボルに重畳動作を行って時間領域信号を生成する、ように構成される。
【００７３】
第１１の態様、又は第１１の態様の第１の可能な実装方式から第４の可能な実装方式のいずれか１つに関連して、第５の可能な実装方式では、第１の波形成分に対応するサブキャリアと、第２の波形成分に対応するサブキャリアは、同じ基本サブキャリアグループの中の異なる基本サブキャリアである。
【００７４】
第１１の態様の第５の可能な実装方式に関連して、第６の可能な実装方式では、第１の波形成分に対応するサブキャリアと第２の波形成分に対応するサブキャリアとの間に少なくともｒ１＋ｒ２−１個の基本サブキャリア分の間隔があり、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【００７５】
第１１の態様の第５の可能な実装方式又は第６の可能な実装方式に関連して、第７の可能な実装方式では、第１の波形成分は直交周波数分割多重化ＯＦＤＭ波形成分であり、ＯＦＤＭ波形成分に対応するサブキャリア間隔は、１基本サブキャリア分の間隔であるか、又は第２の波形成分はフィルタバンクマルチキャリアＦＢＭＣ波形成分であり、ＦＢＭＣ波形成分に対応するサブキャリア間隔は、ｒ個の基本サブキャリア分の間隔であり、ｒは、ＦＢＭＣ波形成分に対応するプロトタイプフィルタの重複係数であり、ｒは正の整数である。
【００７６】
第１１の態様の第４の可能な実装方式に関連して、第８の可能な実装方式では、送信側デバイスは、シフト動作情報を受信側に送信するように構成された送信ユニットを更に備える。
【００７７】
第１２の態様によれば、受信側デバイスが提供され、この受信側デバイスは、メモリ及びプロセッサを備え、メモリはコードのセットを記憶するように構成され、そのコードが使用されてプロセッサを制御して、下記の、
第１の波形成分及び第２の波形成分を含む時間領域信号の受信時点を判定する動作と、
受信時点に従って時間領域信号を受信する動作と、
時間領域信号から周波数領域信号を生成する動作であって、周波数領域信号は、第１の波形成分に対応するＭ個の周波数領域シンボルを含む、動作と、
周波数領域信号の第２の波形成分に対応するサブキャリア上のデータに周波数領域フィルタリングを行って第２の波形成分に対応するＮ個の周波数領域シンボルを取得する動作と、
Ｍ個の周波数領域シンボル及びＮ個の周波数領域フィルタリング後の周波数領域シンボルに信号検出を行って時間領域信号で搬送される情報を取得する動作と、を実行させる。
【００７８】
第１２の態様に関連して、第１の可能な実装方式では、第１の波形成分は直交周波数分割多重化ＯＦＤＭ波形成分であり、第２の波形成分はフィルタバンクマルチキャリアＦＢＭＣ波形成分である。
【００７９】
第１２の態様又は第１２の態様の第１の可能な実装方式に関連して、第２の可能な実装方式では、受信側デバイスは、
第１の波形成分及び第２の波形成分を含む時間領域信号に関するシフト動作情報を受信するように構成された受信器を更に備え、シフト動作情報は送信側によって送信され、
プロセッサは特に、シフト動作情報に従って時間領域信号の受信時点を判定するように構成される。
【００８０】
本発明の実施形態で提供される周波数分割マルチ波形信号を生成及び処理する方法、並びに装置は、１つのシステム内で複数の波形を使用することを可能にする。具体的には、１つの送信側を使用して複数の波形を同時に実現することができる。これは、１つのシステムが複数のマルチキャリア技術に対応できるようにすることができる、ということである。
【００８１】
本発明の実施形態で技術的解決法をより明瞭に説明するために、下記に、実施形態又は従来技術を説明するために必要な添付図面を簡単に説明する。明らかなように、下記の説明における添付図面は、本発明のいくつかの実施形態を示すに過ぎず、当業者は、創造的な努力なしにそれらの添付図面から他の図面をさらに導き出すことができる。
【図面の簡単な説明】
【００８２】
【図１】本発明の実施形態１による周波数分割マルチ波形信号を生成する方法の概略フローチャートである。
【図２】本発明の実施形態（１）による周波数分割マルチ波形信号を生成する方法の概略フローチャートである。
【図３】本発明の実施形態（１）による例１に基づく、第１のＦＢＭＣ波形成分と第２のＦＢＭＣ波形成分との間の周波数領域関係の概略図である。
【図４】本発明の実施形態（１）による例１に基づく対応付けの概略図である。
【図５】本発明の実施形態（１）による例１に基づく、周波数領域シンボル、及び単一波形成分時間領域シンボルの開始時点の分布図である。
【図６】本発明の実施形態（１）による例１に基づく、周波数領域フィルタリング後に得られる周波数領域シンボルの概略図である。
【図７】本発明の実施形態（１）による例１に基づく、周波数領域フィルタリング後に得られる周波数領域シンボルの概略図である。
【図８】本発明の実施形態（１）による例１に基づく、Ｌ個の周波数分割マルチ波形時間領域シンボルの概略図である。
【図９】本発明の実施形態（１）による例１に基づく、Ｌ個のシフト後の周波数分割マルチ波形時間領域シンボルの概略図である。
【図１０】本発明の実施形態（１）による例１に基づく、時間領域信号の概略図である。
【図１１】本発明の実施形態（１）による例２に基づく、周波数領域シンボル、及び単一波形成分時間領域シンボルの開始時点の分布図である。
【図１２】本発明の実施形態（１）による例２に基づく、Ｌ個の周波数分割マルチ波形時間領域シンボルの概略図である。
【図１３】本発明の実施形態（１）による例２に基づく、Ｌ個のシフト後の周波数分割マルチ波形時間領域シンボルの概略図である。
【図１４】本発明の実施形態２による、周波数分割マルチ波形信号を処理する方法の概略フローチャートである。
【図１５】本発明の実施形態３による、周波数分割マルチ波形信号を生成する方法の概略フローチャートである。
【図１６】本発明の実施形態（２）による、周波数分割マルチ波形信号を生成する方法の概略フローチャートである。
【図１７】本発明の実施形態（２）による例３に基づく、ＦＢＭＣ波形成分とＯＦＤＭ波形成分との間の周波数領域関係の概略図である。
【図１８】本発明の実施形態（２）による例３に基づく、周波数領域シンボル、及び単一波形成分時間領域シンボルの開始時点の分布図である。
【図１９】本発明の実施形態（２）による例３に基づく、ＯＦＤＭ周波数領域シンボル及びフィルタリング後のＦＢＭＣ周波数領域シンボルの概略図である。
【図２０】本発明の実施形態（２）による例３に基づく、フィルタリング後のＦＢＭＣ周波数領域シンボルの概略図である。
【図２１】本発明の実施形態（２）による例３に基づく、Ｌ個の周波数分割マルチ波形時間領域シンボルの概略図である。
【図２２】本発明の実施形態（２）による例３に基づく、Ｌ個のシフト後の周波数分割マルチ波形時間領域シンボルの概略図である。
【図２３】本発明の実施形態４による、周波数分割マルチ波形信号を処理する方法の概略フローチャートである。
【図２４】本発明の実施形態５による送信側デバイスの概略構造図である。
【図２５】本発明の実施形態５による別の送信側デバイスの概略構造図である。
【図２６】本発明の実施形態６による送信側デバイスの概略構造図である。
【図２７】本発明の実施形態６による別の送信側デバイスの概略構造図である。
【図２８】本発明の実施形態７による受信側デバイスの概略構造図である。
【図２９】本発明の実施形態８による受信側デバイスの概略構造図である。
【図３０】本発明の実施形態９による送信側デバイスの概略構造図である。
【図３１】本発明の実施形態９による別の送信側デバイスの概略構造図である。
【図３２】本発明の実施形態１０による送信側デバイスの概略構造図である。
【図３３】本発明の実施形態１０による別の送信側デバイスの概略構造図である。
【図３４】本発明の実施形態１１による受信側デバイスの概略構造図である。
【図３５】本発明の実施形態１２による受信側デバイスの概略構造図である。
【発明を実施するための形態】
【００８３】
下記に、本発明の実施形態における添付図面を参照して本発明の実施形態における技術的解決法を明瞭且つ完全に説明する。明らかなように、説明される実施形態は本発明の実施形態の一部に過ぎず、すべてではない。本発明の実施形態に基づいて創造的な努力なしに当業者により得られるすべての他の実施形態は、本発明の保護範囲内にあるものとする。
【００８４】
本明細書における「単一波形成分の時間領域シンボル」とは、１つのみの波形成分に対応可能なシステム内で生成される時間領域シンボルのことを指し、具体的には、第１の波形成分の時間領域シンボル又は第２の波形成分の時間領域シンボルを含むことができる。「周波数分割マルチ波形時間領域シンボル」とは、複数の波形成分に対応可能なシステム内で生成される時間領域シンボルのことを指す。本明細書で説明される１つのシステム内の複数の波形成分は周波数領域では別々に処理されることに留意されたい。したがって、１つの波形成分に関して、１つのみの波形成分に対応可能なシステムで生成される周波数領域シンボルは、複数の波形成分に対応可能なシステムで生成される周波数領域シンボルと同じであり、両方ともその波形成分の周波数領域シンボルと呼ぶことができる。
【００８５】
本発明の実施形態で提供される周波数分割マルチ波形信号を生成及び処理する方法、並びに装置は、複数の波形が同時に実現されるシステムに適用されることができる。システムは、セルラーネットワーク、ワイヤレスローカルエリアネットワーク、ワイヤレスパーソナルエリアネットワーク、物のインターネット、車両のインターネットなどである可能性がある。送信側及び受信側はともに、基地局、アクセスポイント（Access  Point，略してＡＰ）、又はユーザ機器である可能性がある。
【００８６】
実施形態１
図１は、本発明のこの実施形態で提供される周波数分割マルチ波形信号を生成する方法を示し、この方法は下記を含む。
【００８７】
１０１：第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成し、ここで、Ｍ及びＮはともに正の整数である。
【００８８】
例示として、この実施形態は送信側によって実行されることができる。この実施形態は、複数の波形成分のすべての波形成分に対応する周波数領域シンボルに周波数領域フィルタリングが行われるシナリオに適用されることができる。特定の実装では、１つの波形成分に対応する周波数領域シンボルに送信側が周波数領域フィルタリングを行う必要があるかどうかは、その波形成分の種類に関係することに留意されたい。第１の波形成分と第２の波形成分は、同じ種類の波形成分である場合も、又は異なる種類の波形成分である場合もある。例えば、第１の波形成分は第１のＦＢＭＣ波形成分であり、第２の波形成分は第２のＦＢＭＣ波形成分である。別の例として、第１の波形成分はＦＢＭＣ波形成分であり、第２の波形成分はナイキスト速度より速い（Faster-Than-Nyquist，略してＦＴＮ）波形成分である。
【００８９】
１つの波形成分は数個のサブキャリアに対応し、異なる波形成分は異なるサブキャリアに対応する。一般に、１つの波形成分に対応するサブキャリアのうちの２つの隣接するサブキャリアの間には同じ間隔がある。すなわち、１つの波形成分は１つのサブキャリア間隔に対応し、異なる波形成分に対応するサブキャリア間隔は、同じである場合も、又は異なる場合もある。任意選択で、第１の波形成分に対応するサブキャリア間隔は、第２の波形に対応するサブキャリア間隔と異なる。例示として、第１の波形成分に対応するサブキャリアと、第２の波形成分に対応するサブキャリアは、同じ基本サブキャリアグループの中の異なる基本サブキャリアである。基本サブキャリアグループ内の２つの隣接する基本サブキャリアの間の間隔（すなわち基本サブキャリア間隔）は、周波数領域で表すことが可能な最小の周波数間隔である。さらに、異なる波形成分に対応するサブキャリア上のデータ間の干渉を低減するために、この例では、第１の波形成分に対応するサブキャリアと第２の波形成分に対応するサブキャリアとの間に少なくともｒ１＋ｒ２−１個の基本サブキャリア分の間隔があり、ここで、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【００９０】
任意選択で、第１の波形成分が第１のＦＢＭＣ波形成分であるとき、第１のＦＢＭＣ波形成分に対応するサブキャリア間隔は、ｒ個の基本サブキャリア分の間隔であり、ここでｒは第１のＦＢＭＣ波形成分に対応するプロトタイプフィルタの重複係数であり、ｒは正の整数である。
【００９１】
「送信予定データストリーム」は、チャネル符号化、変調、及びプリコーディングなどの動作の後に得られる複数ピースの送信予定データを含み、送信予定データは、送信側から受信側に送信されるデータのことを指す。特定の実装では、送信側は送信予定データを継続的に生成し、固定量の送信予定データピースを使用することによって１つの送信予定データストリームを形成することができる。本発明のこの実施形態は、送信側が送信予定データストリームを生成する具体的な実装方法、又は固定量の具体的な値に、少しも制限を課さない。固定量の具体的な値は、異なるシナリオでは異なってよい。
【００９２】
「第１の種類の送信予定データストリーム」は、第１の波形成分で送信すべきデータストリームのことを指す。「第２の種類の送信予定データストリーム」は、第２の波形成分で送信すべきデータストリームのことを指す。特定の実装では、送信側は、受信側のチャネル特性などの要因に従って、どの送信予定データストリームを第１の種類の送信予定データストリームとして使用するか、及びどの送信予定データストリームを第２の種類の送信予定データストリームとして使用するかを決定することができる。また、受信側は、受信側のチャネル特性に従って、相対的に受信側に適する波形成分を選択し、その相対的に受信側に適する波形成分を含む情報を送信側にフィードバックすることができる。送信側はその波形成分を使用して、受信側のための送信予定データストリームを搬送することができ、その波形を使用して送信側と通信する。システム内には多数の受信側が存在し、したがって、同じシステム内のすべての受信側が同じ波形を使用する従来技術と比べると、この解決法は、システム性能を向上させることができる。
【００９３】
ステップ１０１の具体的な実装方法については従来技術を参照されたい。ステップ１０１では、１つの送信予定データストリームが１つの周波数領域シンボルに対応する。
【００９４】
１０２：Ｍ個の周波数領域シンボル及びＮ個の周波数領域シンボルに周波数領域フィルタリングを行う。
【００９５】
送信側は、異なるプロトタイプフィルタをそれぞれに使用して、異なる波形成分に対応する周波数領域シンボルに周波数領域フィルタリングを行うことができる。任意選択で、第１の波形成分は第１のＦＢＭＣ波形成分であり、第２の波形成分は第２のＦＢＭＣ波形成分である。この場合、ステップ１０２は、第１のＦＢＭＣ波形成分に対応するプロトタイプフィルタを使用して、Ｍ個の周波数領域シンボルにおける第１の種類の送信予定データストリームに周波数領域フィルタリングを行い、第２のＦＢＭＣ波形成分に対応するプロトタイプフィルタを使用して、Ｎ個の周波数領域シンボルにおける第２の種類の送信予定データストリームに周波数領域フィルタリングを行うことを含むことができる。
【００９６】
複数の波形成分に対応可能なシステムが、周波数領域フィルタリングを行う必要のある波形成分を３つ以上含むとき、ステップ１０２は、周波数領域フィルタリングを行う必要のある各波形成分に別々に周波数領域フィルタリングを行うことを含み得ることに留意されたい。
【００９７】
１０３：Ｍ個の周波数領域フィルタリング後の周波数領域シンボル及びＮ個の周波数領域フィルタリング後の周波数領域シンボルから時間領域信号を生成する。
【００９８】
任意選択で、ステップ１０３は次のように実施されることができる。Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成し、ここで、ＬはＭとＮの和以下であり、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【００９９】
例示として、Ｌ個の時間領域シンボルのうちの各時間領域シンボルは、周波数分割マルチ波形時間領域シンボルである。１つのみの波形成分に対応可能なシステムでは、１つの送信予定データストリームは１つの周波数領域シンボルに対応し、１つの周波数領域シンボルは、単一の波形成分の１つの時間領域シンボルに対応する。複数の波形成分に対応可能なシステムでは、１つの送信予定データストリームは１つの周波数領域シンボルに対応し、同じ開始時点を持つ単一波形成分時間領域シンボルに対応するすべての周波数領域シンボルは、１つの周波数分割マルチ波形時間領域シンボルに対応する。
【０１００】
「第１の種類の送信予定データストリームのうちの１つのデータストリームに対応する時間領域シンボル」とは、第１の波形成分の時間領域シンボルのことを指し、「第２の種類の送信予定データストリームのうちの１つのデータストリームに対応する時間領域シンボル」とは、第２の波形成分の時間領域シンボルのことを指す。
【０１０１】
この任意選択の方式では、Ｌは１より大きい正の整数であり、Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成することは、ｉ）Ｍ個の周波数領域フィルタリング後の周波数領域シンボル及びＮ個の周波数領域フィルタリング後の周波数領域シンボルに逆フーリエ変換を行ってＬ個の時間領域シンボルを生成すること、ｉｉ）Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ここで、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであること、並びに、ｉｉｉ）Ｌ個の時間領域シンボルのうち１番目の時間領域シンボル及びＬ−１個のシフト後の時間領域シンボルに重畳動作を行って時間領域信号を生成すること、を含むことができる。
【０１０２】
例示として、本明細書中の「逆フーリエ変換」は、数学的手法又は物理学的手法で実施される様々な逆フーリエ変換とそれらの変形例を含む。上記方法は、シフト動作情報を受信側に送信することを更に含むことができ、そのシフト動作情報を使用して、受信側は時間領域信号の受信時点を判定することができる。
【０１０３】
この任意選択の方式では、Ｌが１であるとき、Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成することは、Ｍ個の周波数領域フィルタリング後の周波数領域シンボル及びＮ個の周波数領域フィルタリング後の周波数領域シンボルに逆フーリエ変換を行って１つの時間領域シンボル（すなわち時間領域信号）を生成することを含む。
【０１０４】
本明細書中の「ＦＢＭＣ波形成分」は、下記の解決法、すなわち実数シンボルに基づくオフセット直交振幅変調（Offset  Quadrature  Amplitude  Modulation，ＯＱＡＭ）解決法、又は複素数シンボルに基づくＦＭＴ（Filtered  multi-tone）解決法を使用して実装できることに留意されたい。ＦＢＭＣ波形成分がＯＱＡＭ解決法を使用して実現されるとき、ＦＢＭＣ波形成分に対応する時間領域シンボル間隔は、ＦＢＭＣ波形成分に対応するプロトタイプフィルタの係数に関係する。ＦＢＭＣ波形成分がＦＭＴ解決法を使用して実現されるとき、ＦＢＭＣ波形成分に対応する時間領域シンボル間隔は、オーバーサンプリング率に関係する。
【０１０５】
本発明のこの実施形態で提供される周波数分割マルチ波形信号を生成する方法は、複数の波形を１つのシステム内で使用することを可能にする。具体的には、１つの送信側を使用して複数の波形を同時に実現することができる。これは、システムが複数のマルチキャリア技術に対応することをこの方法が可能にする、ということである。
【０１０６】
本発明のこの実施形態で提供される技術を明瞭に説明するために、下記で、第１の種類の送信予定データストリーム及び第２の種類の送信予定データストリームの表現方式について、例を使用して説明する。
【０１０７】
第１の種類の送信予定データストリームは、少なくとも１つの第１の送信予定データストリームを含み、第２の種類の送信予定データストリームは、少なくとも１つの第２の送信予定データストリームを含む。各送信予定データストリームは、ベクトルを使用して表されることができる。この場合、第１の種類の送信予定データストリームは、集合１
（外１）
2017530611.tif 000003
によって表すことができ、集合１の各要素は１つの第１の送信予定データストリームを表し、第２の種類の送信予定データストリームは、集合２
（外２）
2017530611.tif 000004
によって表すことができ、集合２の各要素は１つの第２の送信予定データストリームを表す。
【０１０８】
（外３）
2017530611.tif 000005
を例として使用して集合１の要素を説明し、
（外４）
2017530611.tif 000006
を例として使用して集合２の要素を説明すると、
（外５）
2017530611.tif 000007
であり、
（外６）
2017530611.tif 000008
の各要素は、
（外７）
2017530611.tif 000009
における送信予定データのうちの１つのピースを表し、また
（外８）
2017530611.tif 000010
であり、
（外９）
2017530611.tif 000011
の各要素は、
（外１０）
2017530611.tif 000012
における送信予定データのうちの１つのピースを表す。
【０１０９】
本明細書で説明される第１の種類の送信予定データストリーム及び第２の種類の送信予定データストリームの表現方式は、下記の実施形態（１）及び実施形態（２）の両方で使用される可能性があることに留意されたい。
【０１１０】
実施形態（１）
この実施形態は、上述の実施形態１の特定の実施形態である。上述の「第１の波形成分」は、この実施形態では第１のＦＢＭＣ波形成分であり、上述の「第２の波形成分」は、この実施形態では第２のＦＢＭＣ波形成分である。
【０１１１】
この実施形態では、第１のＦＢＭＣ波形成分に対応するサブキャリアと、第２のＦＢＭＣ波形成分に対応するサブキャリアは、同じ基本サブキャリアグループの中の異なる基本サブキャリアである。第１のＦＢＭＣ波形成分の各時間領域シンボルの継続時間は、第２のＦＢＭＣ波形成分の各時間領域シンボルの継続時間と等しく、継続時間をＴで表す。第１のＦＢＭＣ波形成分と第２のＦＢＭＣ波形成分はどちらもＯＱＡＭ解決法を使用して実現されるＦＢＭＣ波形成分である。
【０１１２】
図２は、本発明のこの実施形態による周波数分割マルチ波形信号を生成する方法を示し、この方法は下記を含む。
【０１１３】
２０１：第１の種類の送信予定データストリームを第１のＦＢＭＣ波形成分に対応するサブキャリアに対応付けてＭ個の周波数領域シンボルを生成し、第２の種類の送信予定データストリームを第２のＦＢＭＣ波形成分に対応するサブキャリアに対応付けてＮ個の周波数領域シンボルを生成し、ここでＭ及びＮはともに１より大きい正の整数である。
【０１１４】
例１：第１のＦＢＭＣ波形成分に対応するプロトタイプフィルタの重複係数が４であり、第２のＦＢＭＣ波形成分に対応するプロトタイプフィルタの重複係数が２であると仮定する。すると、第１のＦＢＭＣ波形成分に対応するサブキャリア間隔は、基本サブキャリア間隔の４倍になり、第２のＦＢＭＣ波形成分に対応するサブキャリア間隔は、基本サブキャリア間隔の２倍になる。第１のＦＢＭＣ波形成分の時間領域シンボル間隔は
（外１１）
2017530611.tif 000013
であり、第２のＦＢＭＣ波形成分の時間領域シンボル間隔は
（外１２）
2017530611.tif 000014
である。第２のＦＢＭＣ波形成分の時間領域シンボル間隔は、第１のＦＢＭＣ波形成分の時間領域シンボル間隔の２倍である。第１のＦＢＭＣ波形成分の時間領域シンボルの開始時点は、
（外１３）
2017530611.tif 000015
となり、第２の波形成分の時間領域シンボルの開始時点は、
（外１４）
2017530611.tif 000016
となり、ここでｋは正の整数である。
【０１１５】
図３は、例１における第１のＦＢＭＣ波形成分と第２のＦＢＭＣ波形成分との間の周波数領域関係の概略図を示す。基本サブキャリアグループ中のそれぞれの基本サブキャリアは、一意の番号に対応している。第１のＦＢＭＣ波形成分に対応する基本サブキャリアの番号は、ｋ１、ｋ１＋４、ｋ１＋８、ｋ１＋１２、．．．であり、第２のＦＢＭＣ波形成分に対応する基本サブキャリアの番号は、ｋ２、ｋ２＋２、ｋ２＋４、ｋ２＋６、．．．である。図４は、例１における基本サブキャリアグループへの
（外１５）
2017530611.tif 000017
及び
（外１６）
2017530611.tif 000018
の対応付けの概略図を示す。
【０１１６】
図５は、例１に基づいて得られるＭ＋Ｎ個の周波数領域シンボルと、それらＭ＋Ｎ個の周波数領域シンボルに対応する単一波形成分時間領域シンボルの分布図を示し、横軸は単一波形成分の時間領域シンボルの開始時点を表す。システム内の単一波形成分の時間領域シンボルの開始時点は、システム内の周波数分割マルチ波形時間領域シンボルの開始時点であることに留意されたい。
【０１１７】
２０２：第１のＦＢＭＣ波形成分に対応するプロトタイプフィルタを使用して、Ｍ個の周波数領域シンボルにおける第１の種類の送信予定データストリームに周波数領域フィルタリングを行い、第２のＦＢＭＣ波形成分に対応するプロトタイプフィルタを使用して、Ｎ個の周波数領域シンボルにおける第２の種類の送信予定データストリームに周波数領域フィルタリングを行う。
【０１１８】
例１に基づくと、ステップ２０２は、次のように実施されることができる。重複係数が４であるプロトタイプフィルタを使用して、上述のＭ個の周波数領域シンボルにおける集合１に属する送信予定データストリームに周波数領域フィルタリングを行い、重複係数が２であるプロトタイプフィルタを使用して、上述のＮ個の周波数領域シンボルにおける集合２に属する送信予定データストリームに周波数領域フィルタリングを行う。
【０１１９】
下記で、周波数領域フィルタリングプロセスについて例を使用して説明する。重複係数が４であるプロトタイプフィルタの周波数領域応答がＦ＝［ｆ−Ｒ，ｆ−Ｒ＋１，．．．，ｆ０，．．．，ｆＲ＋１，ｆＲ］である、すなわち、プロトタイプフィルタの応答継続時間が２Ｒ＋１個の周波数領域サンプルであり、ここでＲは正の整数であると仮定する。すると、集合１における送信予定データストリームにあり、且つｋ番目の基本サブキャリアに対応付けられている送信予定データｂｋに周波数領域フィルタリングを行うことは、ｃｋ＋ｉ＝ｂｋ×ｆｉと表すことができ、ここで、ｃｋ＋ｉは、周波数領域フィルタリング後のｂｋを（ｋ＋ｉ）番目の基本サブキャリアに拡散することによって得られるデータであり、ｋは整数であり、−Ｒ≦ｉ≦Ｒであり、ｉは整数である。この場合、周波数領域フィルタリング動作の後、元々ｋ番目の基本サブキャリアに対応付けられていた送信予定データは、近隣の２Ｒ＋１個の基本サブキャリアに拡散されている。上述の動作の後、複数ピースの異なる送信予定データが周波数領域フィルタリングを受けた後に拡散されたデータを、同じ基本サブキャリアが有している可能性があり、その拡散されたデータが一緒に加算される必要があることに留意されたい。
【０１２０】
別の比較的よく使用される周波数領域フィルタリング方法は、プロトタイプフィルタの周波数領域応答及び送信予定データストリームに畳込み動作を直接行うものであるが、これは本明細書では説明されない。
【０１２１】
図６は、周波数領域フィルタリングが２つの周波数領域シンボルに対して行われた後、例１に基づいて得られる周波数領域シンボルの概略図である。２つの周波数領域シンボルに対応する単一波形成分時間領域シンボルは同じ開始時点を持ち、開始時点は、図５では
（外１７）
2017530611.tif 000019
である可能性がある。図７は、周波数領域フィルタリングが１つの周波数領域シンボルに対して行われた後、例１に基づいて得られる周波数領域シンボルの概略図を示す。その周波数領域シンボルに対応する単一波形成分時間領域シンボルの開始時点は、別の周波数領域シンボルには対応しておらず、開始時点は図５では
（外１８）
2017530611.tif 000020
である可能性がある。
【０１２２】
２０３：Ｍ個の周波数領域フィルタリング後の周波数領域シンボル及びＮ個の周波数領域フィルタリング後の周波数領域シンボルに逆フーリエ変換を行ってＬ個の周波数分割マルチ波形時間領域シンボルを生成し、ここでＬは１より大きい整数である。
【０１２３】
例１におけるＬ個の周波数分割マルチ波形時間領域シンボルの開始時点は、それぞれ
（外１９）
2017530611.tif 000021
となる。それに対応して、Ｌ個の周波数分割マルチ波形時間領域シンボルに対応するＬ個のデータストリーム（下記では「合成データストリーム」と呼ぶ）は、それぞれ
（外２０）
2017530611.tif 000022
となる。したがって、例１の合成データストリームは、１つの第１の送信予定データストリーム及び１つの第２の送信予定データストリームを含んでいる可能性があるか、又は１つのみの第１の送信予定データストリームを含んでいる可能性があることが分かる。
【０１２４】
図８は、例１に基づいて得られる、Ｍ個の周波数領域フィルタリング後の周波数領域シンボル及びＮ個の周波数領域フィルタリング後の周波数領域シンボルから生成されたＬ個の周波数分割マルチ波形時間領域シンボルの概略図を示し、縦軸はＬ個の周波数分割マルチ波形時間領域シンボルの開始時点を表す。
【０１２５】
２０４：Ｌ個の周波数分割マルチ波形時間領域シンボルのうち最後のＬ−１個の周波数分割マルチ波形時間領域シンボルにシフト動作を行う。
【０１２６】
例示として、例１では、Ｌ個の周波数分割マルチ波形時間領域シンボルの開始時点は、それぞれ
（外２１）
2017530611.tif 000023
であり、したがって、２つの隣接する周波数分割マルチ波形時間領域シンボルの開始時点間の時間間隔は
（外２２）
2017530611.tif 000024
であると得ることができる。図９は、例１に基づいて得られるシフト後のＬ個の周波数分割マルチ波形時間領域シンボルの概略図を示す。
【０１２７】
２０５：１番目の周波数分割マルチ波形時間領域シンボル及びＬ−１個のシフト後の周波数分割マルチ波形時間領域シンボルに重畳動作を行って時間領域信号を生成する。
【０１２８】
図１０は、例１に基づいて得られる時間領域信号の概略図を示す。
【０１２９】
例１では、第２のＦＢＭＣ波形成分の時間領域シンボル間隔は、第１のＦＢＭＣ波形成分の時間領域シンボル間隔の正確な整数倍であることに留意されたい。下記では、例２を使用して、第２のＦＢＭＣ波形成分の時間領域シンボル間隔が第１のＦＢＭＣ波形成分の時間領域シンボル間隔の整数倍でない場合を説明する。
【０１３０】
例２：第２のＦＢＭＣ波形成分に対応するプロトタイプフィルタの重複係数が３であると仮定する。すると、第２のＦＢＭＣ波形成分に対応するサブキャリア間隔は、基本サブキャリア間隔の３倍になり、第２のＦＢＭＣ波形成分の時間領域シンボル間隔は
（外２３）
2017530611.tif 000025
となり、第２のＦＢＭＣ波形成分に対応する基本サブキャリアの番号は、ｋ２、ｋ２＋３、ｋ２＋６、ｋ２＋９、．．．となる。この例では、第１のＦＢＭＣ波形成分に対応するプロトタイプフィルタの重複係数は４である。
【０１３１】
第２のＦＢＭＣ波形成分の時間領域シンボルの開始時点は、
（外２４）
2017530611.tif 000026
となる。例１における第１のＦＢＭＣ波形成分の時間領域シンボルの開始時点から、Ｌ個の周波数分割マルチ波形時間領域シンボルの開始時点はそれぞれ
（外２５）
2017530611.tif 000027
であることが分かる。それに対応して、Ｌ個の周波数分割マルチ波形時間領域シンボルに対応するＬ個の合成データストリームは、それぞれ
（外２６）
2017530611.tif 000028
となる。したがって、例２の合成データストリームは、１つの第１の送信予定データストリーム及び１つの第２の送信予定データストリームを含んでいる可能性があるか、又は１つのみの第１の送信予定データストリームを含んでいる可能性があるか、又は１つのみの第２の送信予定データストリームを含んでいる可能性があることが分かる。図１１は、例２に基づいて得られるＭ＋Ｎ個の周波数領域シンボルと、それらＭ＋Ｎ個の周波数領域シンボルに対応する単一波形成分時間領域シンボルの開始時点の分布図を示す。
【０１３２】
図１２は、例２に基づいて得られるＬ個の周波数分割マルチ波形時間領域シンボルの概略図を示し、縦軸はＬ個の周波数分割マルチ波形時間領域シンボルの開始時点を表す。図１３は、例２に基づいて得られるＬ個のシフト後の周波数分割マルチ波形時間領域シンボルの概略図を示す。
【０１３３】
本発明のこの実施形態で提供される周波数分割マルチ波形信号を生成する方法は、２つのＦＢＭＣ波形を１つのシステム内で使用することを可能にする。具体的には、１つの送信側を使用して２つのＦＢＭＣ波形を同時に実現することができる。これは、システムが複数のマルチキャリア技術に対応することをこの方法が可能にする、ということである。
【０１３４】
実施形態２
図１４は、本発明のこの実施形態で提供される周波数分割マルチ波形信号を処理する方法を示し、この方法は下記を含む。
【０１３５】
１４０１：第１の波形成分及び第２の波形成分を含む時間領域信号の受信時点を判定する。
【０１３６】
例示として、この実施形態は受信側によって実行されることができる。この実施形態で提供される周波数分割マルチ波形信号を処理する方法は、実施形態１／実施形態（１）で提供される周波数分割マルチ波形信号を生成する方法に対応している。この実施形態の関連する内容に関する解説については、上記の説明を参照されたい。
【０１３７】
時間領域信号は、１つ又は複数の周波数分割マルチ波形時間領域シンボルを含んでいる。１つの周波数分割マルチ波形時間領域シンボルは、第１の波形成分、又は第２の波形成分、又は第１の波形成分と第２の波形成分の組み合わせに関係する可能性がある。任意の周波数分割マルチ波形時間領域シンボルの受信時点は、送信側によって決定される、その周波数分割マルチ波形時間領域シンボルの開始時点と同じである。例えば、上述の例１では、Ｌ個の周波数分割マルチ波形時間領域シンボルの受信時点は、それぞれ
（外２７）
2017530611.tif 000029
となる。別の例として、上述の例２では、Ｌ個の周波数分割マルチ波形時間領域シンボルの受信時点は、それぞれ
（外２８）
2017530611.tif 000030
となる。任意選択で、すべての周波数分割マルチ波形時間領域シンボルは同じ継続時間を持ち、継続時間をＴで表す。
【０１３８】
ステップ１４０１の前に、上記方法は、第１の波形成分及び第２の波形成分を含む時間領域信号に関するシフト動作情報を受信することを更に含むことができ、シフト動作情報は送信側によって送信される。この場合、ステップ１４０１は、シフト動作情報に従って時間領域信号の受信時点を判定することを更に含むことができる。
【０１３９】
任意選択で、第１の波形成分は第１のＦＢＭＣ波形成分であり、第２の波形成分は第２のＦＢＭＣ波形成分である。
【０１４０】
１４０２：受信時点に従って時間領域信号を受信する。
【０１４１】
例示として、ステップ１４０２は、各受信時点において、継続時間Ｔの時間領域信号の一セグメントを受信することを含むことができる。例えば、上述の例２では、継続時間Ｔの時間領域信号のセグメントは、時点
（外２９）
2017530611.tif 000031
の各々において受信される。
【０１４２】
１４０３：時間領域信号から周波数領域信号を生成する。
【０１４３】
具体的には、時間領域信号にフーリエ変換を行って周波数領域信号を生成する。本明細書における「フーリエ変換」は、数学的手法又は物理学的手法で実施される様々な逆フーリエ変換とそれらの変形例を含む。
【０１４４】
１４０４：周波数領域信号の全サブキャリア上のデータに周波数領域フィルタリングを行って第１の波形成分に対応するＭ個の周波数領域シンボル及び第２の波形成分に対応するＮ個の周波数領域シンボルを取得し、ここで、Ｍ及びＮはともに正の整数である。
【０１４５】
例示として、受信側によって行われる周波数領域フィルタリング動作は、送信側によって行われる周波数領域フィルタリングと一致したフィルタリングプロセスである。具体的には、上述のステップ２０２における例を一例として使用する。受信側が周波数領域フィルタリングを行うために使用されるプロトタイプフィルタの周波数領域応答は、Ｆ’＝［ｆ−Ｒ’，ｆ−Ｒ＋１’，．．．，ｆ０’，．．．，ｆＲ＋１’，ｆＲ’］であり、ここでｆｉ’とｆｉは相互に共役な関係を持ち、−Ｒ≦ｉ≦Ｒであり、ｉは整数である。一般に、ｆｉは実数であり、この場合はｆｉ’はｆｉに等しい。上述のステップ２０２における例を一例として使用する。受信側は、次の式
（外３０）
2017530611.tif 000032
に従って、ｋ番目の基本サブキャリアに対応付けられたデータ
（外３１）
2017530611.tif 000033
を取得することができ、ここで、ｅｋ＋ｉは、ステップ１４０３における周波数領域信号の（ｋ＋ｉ）番目の基本サブキャリアに対応付けられたデータを表す。
【０１４６】
同様に、受信側によって行われる周波数領域フィルタリング動作は、ステップ２０２で例示した畳込み動作をＦ’及び周波数分割マルチ波形周波数領域信号に行うことによって実現することができる。
【０１４７】
１４０５：Ｍ個の周波数領域シンボル及びＮ個の周波数領域シンボルに信号検出を行って時間領域信号で搬送される情報を取得する。
【０１４８】
例示として、信号検出の目的は、周波数領域フィルタリング後の周波数領域信号から上記で説明した送信予定データを復元することである。具体的な実装方法については従来技術を参照されたい。
【０１４９】
第１の波形成分が第１のＦＢＭＣ波形成分であり、第２の波形成分が第２のＦＢＭＣ波形成分であるとき、ステップ１４０５は、第１のＦＢＭＣ波形成分に対応するプロトタイプフィルタを使用して、第１のＦＢＭＣ波形成分に対応するサブキャリア上のデータに周波数領域フィルタリングを行って第１のＦＢＭＣ波形成分に対応するＭ個の周波数領域シンボルを取得し、第２のＦＢＭＣ波形成分に対応するプロトタイプフィルタを使用して、第２のＦＢＭＣ波形成分に対応するサブキャリア上のデータに周波数領域フィルタリングを行って第２のＦＢＭＣ波形成分に対応するＮ個の周波数領域シンボルを取得することを含むことができる。
【０１５０】
実施形態１／実施形態（１）で提供される周波数分割マルチ波形信号を生成する方法に対応して、本発明のこの実施形態で提供される周波数分割マルチ波形信号を処理する方法は、複数の波形を１つのシステム内で使用することを可能にする。具体的には、１つの送信側を使用して複数の波形を同時に実現することができる。これは、システムが複数のマルチキャリア技術に対応することをこの方法が可能にする、ということである。
【０１５１】
実施形態３
図１５は、本発明のこの実施形態で提供される周波数分割マルチ波形信号を生成する方法を示し、この方法は下記を含む。
【０１５２】
１５０１：第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成し、ここでＭ及びＮはともに正の整数である。
【０１５３】
例示として、この実施形態は送信側によって実行されることができる。この実施形態は、複数の波形成分のうち一部の波形成分に対応する周波数領域シンボルに周波数領域フィルタリングが行われるシナリオに適用されることができる。この実施形態の関連する内容に関する解説については、実施形態１／実施形態（１）を参照されたい。
【０１５４】
任意選択で、第１の波形成分はＯＦＤＭ波形成分であり、第２の波形成分はＦＢＭＣ波形成分である。さらに任意選択で、ＦＢＭＣ波形成分に対応するサブキャリア間隔は、ＯＦＤＭ波形成分に対応するサブキャリア間隔の整数倍である。
【０１５５】
任意選択で、第１の波形成分に対応するサブキャリアと、第２の波形成分に対応するサブキャリアは、同じ基本サブキャリアグループの中の異なる基本サブキャリアである。さらに、異なる波形成分に対応するサブキャリア上のデータ間の干渉を低減するために、この例では、第１の波形成分に対応するサブキャリアと第２の波形成分に対応するサブキャリアとの間に少なくともｒ１＋ｒ２−１個の基本サブキャリア分の間隔があり、ここで、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【０１５６】
任意選択で、第１の波形成分がＯＦＤＭ波形成分であるとき、ＯＦＤＭ波形成分に対応するサブキャリア間隔は、１基本サブキャリア分の間隔になり、又は、第２の波形成分がＦＢＭＣ波形成分であるとき、ＦＢＭＣ波形成分に対応するサブキャリア間隔は、ｒ個の基本サブキャリア分の間隔になり、ｒは、ＦＢＭＣ波形成分に対応するプロトタイプフィルタの重複係数であり、ｒは正の整数である。
【０１５７】
１５０２：Ｎ個の周波数領域シンボルに周波数領域フィルタリングを行う。
【０１５８】
任意選択で、第２の波形成分はＦＢＭＣ波形成分である。この場合、ステップ１５０２は、ＦＢＭＣ波形成分に対応するプロトタイプフィルタを使用して、Ｎ個の周波数分割マルチ波形周波数領域シンボルにおける第２の種類の送信予定データストリームに周波数領域フィルタリングを行うことを含むことができる。
【０１５９】
１５０３：Ｍ個の周波数領域シンボル及びＮ個の周波数領域フィルタリング後の周波数領域シンボルから時間領域信号を生成する。
【０１６０】
任意選択で、ステップ１５０３は、Ｍ個の周波数領域シンボル及びＮ個の周波数領域フィルタリング後の周波数領域シンボルから、Ｌ個の時間領域シンボルを含んでいる時間領域信号を生成することを含むことができ、ここでＬはＭとＮの和より小さく、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合、それら２つのデータストリームに対応する周波数領域シンボルは、その開始時点に属するＬ個の時間領域シンボルのうちの時間領域シンボルに対応する。
【０１６１】
この任意選択の方式では、Ｌは１より大きい正の整数であり、Ｍ個の周波数領域シンボル及びＮ個の周波数領域フィルタリング後の周波数領域シンボルから時間領域信号を生成することは、ｉ）Ｍ個の周波数領域シンボル及びＮ個の周波数領域フィルタリング後の周波数領域シンボルに逆フーリエ変換を行ってＬ個の時間領域シンボルを生成すること、ｉｉ）Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ここで、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであること、並びに、ｉｉｉ）Ｌ個の時間領域シンボルのうち１番目の時間領域シンボル及びＬ−１個のシフト後の時間領域シンボルに重畳動作を行って時間領域信号を生成すること、を含むことができる。
【０１６２】
任意選択で、上記方法は、シフト動作情報を受信側に送信することを更に含むことができ、シフト動作情報を使用して、受信側は時間領域信号の受信時点を判定することができる。
【０１６３】
本発明のこの実施形態で提供される周波数分割マルチ波形信号を生成する方法は、複数の波形を１つのシステム内で使用することを可能にする。具体的には、１つの送信側を使用して複数の波形を同時に実現することができる。これは、システムが複数のマルチキャリア技術に対応することをこの方法が可能にする、ということである。
【０１６４】
実施形態（２）
この実施形態は、上述の実施形態２の特定の実施形態である。上述の「第１の波形成分」は、この実施形態ではＯＦＤＭ波形成分であり、上述の「第２の波形成分」は、この実施形態ではＦＢＭＣ波形成分である。
【０１６５】
この実施形態では、ＦＢＭＣ波形成分に対応するサブキャリアとＯＦＤＭ波形成分に対応するサブキャリアは、同じ基本サブキャリアグループの中の異なる基本サブキャリアである。ＦＢＭＣ波形成分の各時間領域シンボルの継続時間は、ＯＦＤＭ波形成分の各時間領域シンボルの継続時間と等しく、継続時間をＴで表す。ＦＢＭＣ波形成分は、ＯＱＡＭ解決法を使用して実現されるＦＢＭＣ波形成分である。
【０１６６】
図１６は、本発明のこの実施形態で提供される周波数分割マルチ波形信号を生成する方法を示し、この方法は下記を含む。
【０１６７】
１６０１：第１の種類の送信予定データストリームをＯＦＤＭ波形成分に対応するサブキャリアに対応付けてＭ個の周波数領域シンボルを生成し、第２の種類の送信予定データストリームをＦＢＭＣ波形成分に対応するサブキャリアに対応付けてＮ個の周波数領域シンボルを生成し、ここでＭ及びＮはともに１より大きい正の整数である。
【０１６８】
例示として、この実施形態の関連する内容に関する解説については、上記の説明を参照されたい。Ｍ個の周波数領域シンボルのうちの各周波数領域シンボルは、ＯＦＤＭ周波数領域シンボルであり、Ｎ個の周波数領域シンボルのうちの各周波数領域シンボルは、ＦＢＭＣ周波数領域シンボルである。
【０１６９】
例３：ＦＢＭＣ波形成分に対応するプロトタイプフィルタの重複係数が４であると仮定する。すると、ＦＢＭＣ波形成分に対応するサブキャリア間隔は、基本サブキャリア間隔の４倍になり、ＦＢＭＣ波形成分の時間領域シンボル間隔は
（外３２）
2017530611.tif 000034
となり、ＦＢＭＣ波形成分の時間領域シンボルの開始時点は
（外３３）
2017530611.tif 000035
となる。ＯＦＤＭ波形成分のサブキャリア間隔は、基本サブキャリア間隔の１倍であり、ＯＦＤＭ波形成分に対応する時間領域シンボル間隔はＴであり、ＯＦＤＭ波形成分の時間領域シンボルの開始時点は
（外３４）
2017530611.tif 000036
となる。
【０１７０】
図１７は、例３におけるＦＢＭＣ波形成分とＯＦＤＭ波形成分との間の周波数領域関係の概略図を示す。ＦＢＭＣ波形成分に対応する基本サブキャリアの番号は、ｋ１、ｋ１＋４、ｋ１＋８、ｋ１＋１２、．．．であり、ＯＦＤＭ波形成分に対応する基本サブキャリアの番号は、ｋ２、ｋ２＋１、ｋ２＋２、ｋ２＋３、．．．である。
【０１７１】
図１８は、例３に基づいて得られるＭ＋Ｎ個の周波数領域シンボルと、それらＭ＋Ｎ個の周波数領域シンボルに対応する単一波形成分時間領域シンボルの開始時点の分布図を示し、横軸は単一波形成分の時間領域シンボルの開始時点を表す。システム内の単一波形成分の時間領域シンボルの開始時点は、システム内の周波数分割マルチ波形時間領域シンボルの開始時点であることに留意されたい。
【０１７２】
１６０２：ＦＢＭＣ波形成分に対応するプロトタイプフィルタを使用して、Ｎ個の周波数領域シンボルにおける第２の種類の送信予定データストリームに周波数領域フィルタリングを行う。
【０１７３】
例示として、この実施形態は、１つのシステム内でＦＢＭＣ波形及びＯＦＤＭ波形を実現するために使用される。実施形態（１）と比べると、この実施形態は、ＯＦＤＭ波形成分に対応するサブキャリア上の送信予定データストリームに対する周波数領域フィルタリングを必要としない。
【０１７４】
図１９は、例３に基づく、１つのＯＦＤＭ周波数領域シンボル及び１つの周波数領域フィルタリング後のＦＢＭＣ周波数領域シンボルの概略図を示す。それら２つの周波数領域シンボルに対応する単一波形成分時間領域シンボルは同じ開始時点を持ち、開始時点は図１８では
（外３５）
2017530611.tif 000037
である可能性がある。図２０は、例３に基づき、Ｎ個の周波数領域シンボルのうちの１つの周波数領域シンボルに周波数領域フィルタリングが行われた後に得られる周波数領域信号の概略図を示す。周波数領域シンボルに対応する単一波形成分時間領域シンボルの開始時点は、別の周波数領域シンボルには対応しておらず、開始時点は、図１８では
（外３６）
2017530611.tif 000038
である可能性がある。
【０１７５】
１６０３：Ｍ個の周波数領域シンボル及びＮ個の周波数領域フィルタリング後の周波数領域シンボルに逆フーリエ変換を行ってＬ個の周波数分割マルチ波形時間領域シンボルを生成し、ここでＬは１より大きい正の整数である。
【０１７６】
例３に基づいて得られるＬ個の周波数分割マルチ波形時間領域シンボルの開始時点は、それぞれ
（外３７）
2017530611.tif 000039
である。それに対応して、Ｌ個の周波数分割マルチ波形時間領域シンボルに対応するＬ個の合成データストリームは、それぞれ
（外３８）
2017530611.tif 000040
となる。したがって、例３の合成データストリームは、１つの第１の送信予定データストリーム及び１つの第２の送信予定データストリームを含んでいる可能性があるか、又は１つのみの第１の送信予定データストリームを含んでいる可能性があることが分かる。図２１は、例３に基づいて得られるＬ個の周波数分割マルチ波形時間領域シンボルの概略図を示し、縦軸はＬ個の周波数分割マルチ波形時間領域シンボルの開始時点を表す。
【０１７７】
１６０４：Ｌ個の周波数分割マルチ波形時間領域シンボルのうち最後のＬ−１個の周波数分割マルチ波形時間領域シンボルにシフト動作を行う。
【０１７８】
図２２は、例３に基づいて得られるＬ個のシフト後の周波数分割マルチ波形時間領域シンボルの概略図を示す。
【０１７９】
１６０５：１番目の周波数分割マルチ波形時間領域シンボル及びＬ−１個のシフト後の周波数分割マルチ波形時間領域シンボルに重畳動作を行って時間領域信号を生成する。
【０１８０】
本発明のこの実施形態で提供される周波数分割マルチ波形信号を生成する方法は、複数の波形を１つのシステム内で使用することを可能にする。具体的には、１つの送信側を使用して複数の波形を同時に実現することができる。これは、システムが複数のマルチキャリア技術に対応することをこの方法が可能にする、ということである。
【０１８１】
実施形態４
図２３は、本発明のこの実施形態で提供される周波数分割マルチ波形信号を処理する方法を示し、この方法は下記を含む。
【０１８２】
２３０１：第１の波形成分及び第２の波形成分を含む時間領域信号の受信時点を判定する。
【０１８３】
例示として、この実施形態は受信側によって実行されることができる。この実施形態で提供される周波数分割マルチ波形信号を処理する方法は、実施形態３／実施形態（２）で提供される周波数分割マルチ波形信号を生成する方法に対応している。この実施形態の関連する内容に関する解説については、上記の説明を参照されたい。
【０１８４】
任意選択で、ステップ２３０１の前に、方法は、第１の波形成分及び第２の波形成分を含む時間領域信号に関するシフト動作情報を受信することを更に含むことができ、シフト動作情報は送信側によって送信される。この場合、ステップ２３０１は、シフト動作情報に従って時間領域信号の受信時点を判定することを含むことができる。
【０１８５】
任意選択で、第１の波形成分はＯＦＤＭ波形成分であり、第２の波形成分はＦＢＭＣ波形成分である。
【０１８６】
２３０２：受信時点に従って時間領域信号を受信する。
【０１８７】
２３０３：時間領域信号から周波数領域信号を生成し、周波数領域信号は、第１の波形成分に対応するＭ個の周波数領域シンボルを含む。
【０１８８】
２３０４：周波数領域信号の第２の波形成分に対応するサブキャリア上のデータに周波数領域フィルタリングを行って第２の波形成分に対応するＮ個の周波数領域シンボルを取得する。
【０１８９】
任意選択で、第２の波形成分がＦＢＭＣ波形成分であるとき、ステップ２３０１は、ＦＢＭＣ波形成分に対応するプロトタイプフィルタを使用して、ＦＢＭＣ波形成分に対応するサブキャリア上のデータに周波数領域フィルタリングを行ってＦＢＭＣ波形成分に対応するＮ個の周波数領域シンボルを取得することを含むことができる。
【０１９０】
２３０５：Ｍ個の周波数領域シンボル及びＮ個の周波数領域フィルタリング後の周波数領域シンボルに信号検出を行って時間領域信号で搬送される情報を取得する。
【０１９１】
実施形態３／実施形態（２）で提供される周波数分割マルチ波形信号を生成する方法に対応して、本発明のこの実施形態で提供される周波数分割マルチ波形信号を処理する方法は、複数の波形を１つのシステム内で使用することを可能にする。具体的には、１つの送信側を使用して複数の波形を同時に実現することができる。これは、システムが複数のマルチキャリア技術に対応することをこの方法が可能にする、ということである。
【０１９２】
実施形態５
図２４は、本発明のこの実施形態で提供される送信側デバイス２４を示し、送信側デバイス２４は、図１に示す周波数分割マルチ波形信号を生成する方法を実行するように構成される。送信側デバイス２４は、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するように構成された対応付けユニット２４Ａであって、ここでＭ及びＮはともに正の整数である、対応付けユニット２４Ａ、
Ｍ個の周波数領域シンボル及びＮ個の周波数領域シンボルに周波数領域フィルタリングを行うように構成された周波数領域フィルタリングユニット２４Ｂ、並びに
Ｍ個の周波数領域フィルタリング後の周波数領域シンボル及びＮ個の周波数領域フィルタリング後の周波数領域シンボルから時間領域信号を生成するように構成された生成ユニット２４Ｃ、を備える。
【０１９３】
任意選択で、第１の波形成分は第１のフィルタバンクマルチキャリアＦＢＭＣ波形成分であり、第２の波形成分は第２のＦＢＭＣ波形成分である。
【０１９４】
任意選択で、生成ユニット２４Ｃは特に、Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成するように構成され、ここで、ＬはＭとＮの和以下であり、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【０１９５】
任意選択で、Ｌは１より大きい正の整数であり、生成ユニット２４Ｃは特に、
Ｍ個の周波数領域フィルタリング後の周波数領域シンボル及びＮ個の周波数領域フィルタリング後の周波数領域シンボルに逆フーリエ変換を行ってＬ個の時間領域シンボルを生成し、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ここで、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであり、
Ｌ個の時間領域シンボルのうち１番目の時間領域シンボル及びＬ−１個のシフト後の時間領域シンボルに重畳動作を行って時間領域信号を生成する、ように構成される。
【０１９６】
任意選択で、第１の波形成分に対応するサブキャリア間隔は、第２の波形に対応するサブキャリア間隔と異なる。
【０１９７】
任意選択で、第１の波形成分に対応するサブキャリアと、第２の波形成分に対応するサブキャリアは、同じ基本サブキャリアグループの中の異なる基本サブキャリアである。
【０１９８】
任意選択で、第１の波形成分に対応するサブキャリアと第２の波形成分に対応するサブキャリアとの間に少なくともｒ１＋ｒ２−１個の基本サブキャリア分の間隔があり、ここで、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【０１９９】
任意選択で、第１の波形成分は、第１のフィルタバンクマルチキャリアＦＢＭＣ波形成分であり、第１のＦＢＭＣ波形成分に対応するサブキャリア間隔は、ｒ個の基本サブキャリア分の間隔であり、ｒは、第１のＦＢＭＣ波形成分に対応するプロトタイプフィルタの重複係数であり、ｒは正の整数である。
【０２００】
任意選択で、図２５に示すように、送信側デバイス２４は、
シフト動作情報を受信側に送信するように構成された送信ユニット２４Ｄを更に備えることができる。
【０２０１】
本発明のこの実施形態で提供される送信側デバイスは、１つのシステム内で複数の波形を使用することができる。具体的には、１つの送信側デバイスを使用して複数の波形を同時に実現することができる。これは、１つのシステムが複数のマルチキャリア技術に対応できるようにすることができる、ということである。
【０２０２】
実施形態６
ハードウェア実装では、上述の実施形態５の送信ユニットは送信器とすることができる。対応付けユニット、周波数領域フィルタリングユニット、及び生成ユニットは、ハードウェア形態で送信側デバイスのプロセッサに埋め込むか、若しくはプロセッサから独立していることが可能であり、又は、プロセッサを呼び出して上述のユニットに対応する動作を行わせるためにソフトウェア形態で送信側デバイスのメモリに記憶することができる。
【０２０３】
図２６は、本発明のこの実施形態で提供される送信側デバイス２６を示し、送信側デバイス２６は、図１に示す周波数分割マルチ波形信号を生成する方法を実行するように構成される。送信側デバイス２６は、
メモリ２６Ａ、プロセッサ２６Ｂ、及びバスシステム２６Ｃを備える。
【０２０４】
メモリ２６Ａは、コードのセットを記憶するように構成され、そのコードが使用されてプロセッサ２６Ｂを制御して、下記の、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成する動作であって、Ｍ及びＮはともに正の整数である、動作、
Ｍ個の周波数領域シンボル及びＮ個の周波数領域シンボルに周波数領域フィルタリングを行う動作、並びに
Ｍ個の周波数領域フィルタリング後の周波数領域シンボル及びＮ個の周波数領域フィルタリング後の周波数領域シンボルから時間領域信号を生成する動作、を実行させる。
【０２０５】
バスシステム２６Ｃは、送信側デバイス２６のすべての構成要素を結合するように構成される。データバスに加えて、バスシステム２６Ｃは、電力バス、制御バス、及び状態信号バスを更に含む。表現を明瞭にするために、図中のすべてのバスはバスシステム２６Ｃとして表示されている。
【０２０６】
例示として、メモリ２６Ａは、読出し専用メモリ及びランダムアクセスメモリを含むことができる。メモリ２６Ａの一部は、不揮発性ランダムアクセスメモリ（ＮＶＲＡＭ）を更に含むことができる。プロセッサ２６Ｂは、中央演算処理装置（ＣＰＵ）、マイクロプロセッサ、シングルチップマイクロコンピュータ、又は同様のものとすることができる。特定の用途では、送信側デバイス２６は、通信ネットワーク上の基地局、アクセスポイント、若しくはユーザ機器に埋め込むことができ、又は送信側デバイス２６自体が、通信ネットワーク上の基地局、アクセスポイント、若しくはユーザ機器であってもよい。
【０２０７】
任意選択で、第１の波形成分は、第１のフィルタバンクマルチキャリアＦＢＭＣ波形成分であり、第２の波形成分は第２のＦＢＭＣ波形成分である。
【０２０８】
任意選択で、プロセッサ２６Ｂは特に、Ｍ個の周波数領域フィルタリング後の周波数領域シンボル及びＮ個の周波数領域フィルタリング後の周波数領域シンボルから、Ｌ個の時間領域シンボルを含んでいる時間領域信号を生成するように構成され、ここで、ＬはＭとＮの和以下であり、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【０２０９】
任意選択で、Ｌは１より大きい正の整数であり、プロセッサ２６Ｂは特に、
Ｍ個の周波数領域フィルタリング後の周波数領域シンボル及びＮ個の周波数領域フィルタリング後の周波数領域シンボルに逆フーリエ変換を行ってＬ個の時間領域シンボルを生成し、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ここで、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであり、
Ｌ個の時間領域シンボルのうち１番目の時間領域シンボル及びＬ−１個のシフト後の時間領域シンボルに重畳動作を行って時間領域信号を生成する、ように構成される。
【０２１０】
任意選択で、第１の波形成分に対応するサブキャリア間隔は、第２の波形に対応するサブキャリア間隔と異なる。
【０２１１】
任意選択で、第１の波形成分に対応するサブキャリアと、第２の波形成分に対応するサブキャリアは、同じ基本サブキャリアグループの中の異なる基本サブキャリアである。
【０２１２】
任意選択で、第１の波形成分に対応するサブキャリアと第２の波形成分に対応するサブキャリアとの間に少なくともｒ１＋ｒ２−１個の基本サブキャリア分の間隔があり、ここで、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【０２１３】
任意選択で、第１の波形成分は、第１のフィルタバンクマルチキャリアＦＢＭＣ波形成分であり、第１のＦＢＭＣ波形成分に対応するサブキャリア間隔は、ｒ個の基本サブキャリア分の間隔であり、ここでｒは第１のＦＢＭＣ波形成分に対応するプロトタイプフィルタの重複係数であり、ｒは正の整数である。
【０２１４】
任意選択で、図２７に示すように、送信側デバイス２６は、
シフト動作情報を受信側に送信するように構成された送信器２６Ｄを更に備えることができる。
【０２１５】
本発明のこの実施形態で提供される送信側デバイスは、複数の波形を１つのシステム内で使用することができる。具体的には、１つの送信側デバイスを使用して複数の波形を同時に実現することができる。これは、１つのシステムが複数のマルチキャリア技術に対応できるようにすることができる、ということである。
【０２１６】
実施形態７
図２８は、本発明のこの実施形態で提供される受信側デバイス２８を示し、受信側デバイス２８は、図１４に示す周波数分割マルチ波形信号を処理する方法を実行するように構成される。受信側デバイス２８は、
第１の波形成分及び第２の波形成分を含む時間領域信号の受信時点を判定するように構成された判定ユニット２８Ａ、
受信時点に従って時間領域信号を受信するように構成された受信ユニット２８Ｂ、
時間領域信号から周波数領域信号を生成するように構成された生成ユニット２８Ｃ、
周波数領域信号の全サブキャリア上のデータに周波数領域フィルタリングを行って第１の波形成分に対応するＭ個の周波数領域シンボル及び第２の波形成分に対応するＮ個の周波数領域シンボルを取得するように構成された周波数領域フィルタリングユニット２８Ｄであって、Ｍ及びＮはともに正の整数である、周波数領域フィルタリングユニット２８Ｄ、並びに
Ｍ個の周波数領域シンボル及びＮ個の周波数領域シンボルに信号検出を行って時間領域信号で搬送される情報を取得するように構成された信号検出ユニット２８Ｅ、を備える。
【０２１７】
任意選択で、第１の波形成分は、第１のフィルタバンクマルチキャリアＦＢＭＣ波形成分であり、第２の波形成分は第２のＦＢＭＣ波形成分である。
【０２１８】
任意選択で、周波数領域フィルタリングユニット２８Ｄは特に、
第１のＦＢＭＣ波形成分に対応するプロトタイプフィルタを使用して、第１のＦＢＭＣ波形成分に対応するサブキャリア上のデータに周波数領域フィルタリングを行って第１のＦＢＭＣ波形成分に対応するＭ個の周波数領域シンボルを取得し、
第２のＦＢＭＣ波形成分に対応するプロトタイプフィルタを使用して、第２のＦＢＭＣ波形成分に対応するサブキャリア上のデータに周波数領域フィルタリングを行って第２のＦＢＭＣ波形成分に対応するＮ個の周波数領域シンボルを取得する、ように構成される。
【０２１９】
任意選択で、受信ユニット２８Ｂは、第１の波形成分及び第２の波形成分を含む時間領域信号に関するシフト動作情報を受信するように更に構成され、シフト動作情報は送信側によって送信される。
【０２２０】
判定ユニット２８Ａは特に、シフト動作情報に従って時間領域信号の受信時点を判定するように構成される。
【０２２１】
上述の実施形態５／実施形態６で提供される送信側デバイスに対応して、本発明のこの実施形態で提供される受信側デバイスは、１つのシステム内で複数の波形を使用することができる。具体的には、１つの送信側デバイスを使用して複数の波形を同時に実現することができる。これは、１つのシステムが複数のマルチキャリア技術に対応できるようにすることができる、ということである。
【０２２２】
実施形態８
ハードウェア実装では、上述の実施形態７の受信ユニットは、受信器とすることができる。判定ユニット、生成ユニット、周波数領域フィルタリングユニット、及び信号検出ユニットは、ハードウェア形態で受信側デバイスのプロセッサに埋め込むか、若しくはプロセッサから独立していることが可能であり、又は、プロセッサを呼び出して上述のユニットに対応する動作を行わせるために、ソフトウェア形態で受信側デバイスのメモリに記憶することができる。
【０２２３】
図２９は、本発明のこの実施形態で提供される受信側デバイス２９を示し、受信側デバイス２９は、図１４に示す周波数分割マルチ波形信号を処理する方法を実行するように構成される。受信側デバイス２９は、
メモリ２９Ａ、プロセッサ２９Ｂ、バスシステム２９Ｃ、及び受信器２９Ｄを備える。
【０２２４】
メモリ２９Ａは、コードのセットを記憶するように構成される。そのコードが使用されて、プロセッサ２９Ｂを制御して、第１の波形成分及び第２の波形成分を含む時間領域信号の受信時点を判定させる。
【０２２５】
受信器２９Ｄは、受信時点に従って時間領域信号を受信するように構成される。
【０２２６】
上記コードが使用されてプロセッサ２９Ｂを制御して、下記の、
時間領域信号から周波数領域信号を生成する動作、
周波数領域信号の全サブキャリア上のデータに周波数領域フィルタリングを行って第１の波形成分に対応するＭ個の周波数領域シンボル及び第２の波形成分に対応するＮ個の周波数領域シンボルを取得する動作であって、Ｍ及びＮはともに正の整数である、動作、並びに
Ｍ個の周波数領域シンボル及びＮ個の周波数領域シンボルに信号検出を行って時間領域信号で搬送される情報を取得する動作、を実行させる。
【０２２７】
バスシステム２９Ｃ及びメモリ２９Ａに関する関連する解説については、上述の実施形態６を参照すべきことに留意されたい。
【０２２８】
任意選択で、第１の波形成分は、第１のフィルタバンクマルチキャリアＦＢＭＣ波形成分であり、第２の波形成分は第２のＦＢＭＣ波形成分である。
【０２２９】
任意選択で、プロセッサ２９Ｂは特に、
第１のＦＢＭＣ波形成分に対応するプロトタイプフィルタを使用して、第１のＦＢＭＣ波形成分に対応するサブキャリア上のデータに周波数領域フィルタリングを行って第１のＦＢＭＣ波形成分に対応するＭ個の周波数領域シンボルを取得し、
第２のＦＢＭＣ波形成分に対応するプロトタイプフィルタを使用して、第２のＦＢＭＣ波形成分に対応するサブキャリア上のデータに周波数領域フィルタリングを行って第２のＦＢＭＣ波形成分に対応するＮ個の周波数領域シンボルを取得する、ように構成される。
【０２３０】
任意選択で、受信器２９Ｄは、第１の波形成分及び第２の波形成分を含む時間領域信号に関するシフト動作情報を受信するように更に構成され、シフト動作情報は送信側によって送信される。プロセッサ２９Ｂは特に、シフト動作情報に従って時間領域信号の受信時点を判定するように構成される。
【０２３１】
上述の実施形態５／実施形態６で提供される送信側デバイスに対応して、本発明のこの実施形態で提供される受信側デバイスは、１つのシステム内で複数の波形を使用することができる。具体的には、１つの送信側デバイスを使用して複数の波形を同時に実現することができる。これは、１つのシステムが複数のマルチキャリア技術に対応できるようにすることができる、ということである。
【０２３２】
実施形態９
図３０は、本発明のこの実施形態で提供される送信側デバイス３０を示し、送信側デバイス３０は、図１６に示す周波数分割マルチ波形信号を生成する方法を実行するように構成される。送信側デバイス２３は、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するように構成された対応付けユニット３０Ａであって、Ｍ及びＮはともに正の整数である、対応付けユニット３０Ａ、
Ｎ個の周波数領域シンボルに周波数領域フィルタリングを行うように構成された周波数領域フィルタリングユニット３０Ｂ、並びに
Ｍ個の周波数領域シンボル及びＮ個の周波数領域フィルタリング後の周波数領域シンボルから時間領域信号を生成するように構成された生成ユニット３０Ｃを備える。
【０２３３】
任意選択で、第１の波形成分は直交周波数分割多重化ＯＦＤＭ波形成分であり、第２の波形成分はフィルタバンクマルチキャリアＦＢＭＣ波形成分である。
【０２３４】
任意選択で、ＦＢＭＣ波形成分に対応するサブキャリア間隔は、ＯＦＤＭ波形成分に対応するサブキャリア間隔の整数倍である。
【０２３５】
任意選択で、生成ユニット３０Ｃは特に、Ｍ個の周波数領域シンボル及びＮ個の周波数領域フィルタリング後の周波数領域シンボルから、Ｌ個の時間領域シンボルを含んでいる時間領域信号を生成するように構成され、ここで、ＬはＭとＮの和より小さく、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【０２３６】
任意選択で、Ｌは１より大きい正の整数であり、生成ユニット３０Ｃは特に、
Ｍ個の周波数領域シンボル及びＮ個の周波数領域フィルタリング後の周波数領域シンボルに逆フーリエ変換を行ってＬ個の時間領域シンボルを生成し、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにするステップであって、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであり、
Ｌ個の時間領域シンボルのうち１番目の時間領域シンボル及びＬ−１個のシフト後の時間領域シンボルに重畳動作を行って時間領域信号を生成する、ように構成される。
【０２３７】
任意選択で、第１の波形成分に対応するサブキャリアと、第２の波形成分に対応するサブキャリアは、同じ基本サブキャリアグループの中の異なる基本サブキャリアである。
【０２３８】
任意選択で、第１の波形成分に対応するサブキャリアと第２の波形成分に対応するサブキャリアとの間に少なくともｒ１＋ｒ２−１個の基本サブキャリア分の間隔があり、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【０２３９】
任意選択で、第１の波形成分は直交周波数分割多重化ＯＦＤＭ波形成分であり、ＯＦＤＭ波形成分に対応するサブキャリア間隔は、１基本サブキャリア分の間隔であるか、又は第２の波形成分はフィルタバンクマルチキャリアＦＢＭＣ波形成分であり、ＦＢＭＣ波形成分に対応するサブキャリア間隔は、ｒ個の基本サブキャリア分の間隔であり、ｒは、ＦＢＭＣ波形成分に対応するプロトタイプフィルタの重複係数であり、ｒは正の整数である。
【０２４０】
任意選択で、図３１に示すように、送信側デバイス３０は、
シフト動作情報を受信側に送信するように構成された送信ユニット３０Ｄを更に備えることができる。
【０２４１】
本発明のこの実施形態で提供される送信側デバイスは、１つのシステム内で複数の波形を使用することができる。具体的には、１つの送信側デバイスを使用して複数の波形を同時に実現することができる。これは、１つのシステムが複数のマルチキャリア技術に対応できるようにすることができる、ということである。
【０２４２】
実施形態１０
ハードウェア実装では、上述の実施形態９の送信ユニットは送信器とすることができる。対応付けユニット、周波数領域フィルタリングユニット、及び生成ユニットは、ハードウェア形態で送信側デバイスのプロセッサに埋め込むか、若しくはプロセッサから独立していることが可能であり、又は、プロセッサを呼び出して上述のユニットに対応する動作を行わせるためにソフトウェア形態で送信側デバイスのメモリに記憶することができる。
【０２４３】
図３２は、本発明のこの実施形態で提供される送信側デバイス３２を示し、送信側デバイス３２は、図１６に示す周波数分割マルチ波形信号を生成する方法を実行するように構成される。送信側デバイス３２は、
メモリ３２Ａ、プロセッサ３２Ｂ、及びバスシステム３２Ｃを備える。
【０２４４】
メモリ３２Ａは、コードのセットを記憶するように構成され、そのコードが使用されてプロセッサ３２Ｂを制御して、下記の、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成する動作であって、Ｍ及びＮはともに正の整数である、動作、
Ｎ個の周波数領域シンボルに周波数領域フィルタリングを行う動作、並びに
Ｍ個の周波数領域シンボル及びＮ個の周波数領域フィルタリング後の周波数領域シンボルから時間領域信号を生成する動作、を実行させる。
【０２４５】
バスシステム３２Ｃ及びメモリ３２Ａに関する関係する解説については、上述の実施形態６を参照すべきことに留意されたい。
【０２４６】
任意選択で、第１の波形成分は直交周波数分割多重化ＯＦＤＭ波形成分であり、第２の波形成分はフィルタバンクマルチキャリアＦＢＭＣ波形成分である。
【０２４７】
任意選択で、ＦＢＭＣ波形成分に対応するサブキャリア間隔は、ＯＦＤＭ波形成分に対応するサブキャリア間隔の整数倍である。
【０２４８】
任意選択で、プロセッサ３２Ｂは特に、Ｍ個の周波数領域シンボル及びＮ個の周波数領域フィルタリング後の周波数領域シンボルから、Ｌ個の時間領域シンボルを含んでいる時間領域信号を生成するように構成され、ＬはＭとＮの和より小さく、第１の種類の送信予定データストリームのうちの１つのデータストリームに対応する時間領域シンボルの開始時点が、第２の種類の送信予定データストリームのうちの１つのデータストリームに対応する時間領域シンボルの開始時点と同じである場合には、それら２つのデータストリームに対応する周波数領域シンボルは、その開始時点に属するＬ個の時間領域シンボルのうちの時間領域シンボルに対応する。
【０２４９】
任意選択で、プロセッサ３２Ｂは特に、
Ｍ個の周波数領域シンボル及びＮ個の周波数領域フィルタリング後の周波数領域シンボルに逆フーリエ変換を行ってＬ個の時間領域シンボルを生成し、
Ｌ個の時間領域シンボルのうち最後のＬ−１個の時間領域シンボルにシフト動作を行って、Ｌ個の時間領域シンボルのうちａ番目の時間領域シンボルとｂ番目の時間領域シンボルとの間の時間間隔が、ａ番目の時間領域シンボルに関係する任意の波形に対応する時間領域シンボル間隔と等しくなるようにし、ａ番目の時間領域シンボルは、Ｌ−１個の時間領域シンボルのうちの任意の時間領域シンボルであり、ｂ番目の時間領域シンボルは、ａ番目の時間領域シンボルより前にあり、ａ番目の時間領域シンボルに一番近く、且つａ番目の時間領域シンボルに関係する任意の波形を含む時間領域シンボルであり、
Ｌ個の時間領域シンボルのうち１番目の時間領域シンボル及びＬ−１個のシフト後の時間領域シンボルに重畳動作を行って時間領域信号を生成する、ように構成される。
【０２５０】
任意選択で、第１の波形成分に対応するサブキャリアと、第２の波形成分に対応するサブキャリアは、同じ基本サブキャリアグループの中の異なる基本サブキャリアである。
【０２５１】
任意選択で、第１の波形成分に対応するサブキャリアと第２の波形成分に対応するサブキャリアとの間に少なくともｒ１＋ｒ２−１個の基本サブキャリア分の間隔があり、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【０２５２】
任意選択で、第１の波形成分は直交周波数分割多重化ＯＦＤＭ波形成分であり、ＯＦＤＭ波形成分に対応するサブキャリア間隔は、１基本サブキャリア分の間隔であるか、又は第２の波形成分はフィルタバンクマルチキャリアＦＢＭＣ波形成分であり、ＦＢＭＣ波形成分に対応するサブキャリア間隔は、ｒ個の基本サブキャリア分の間隔であり、ｒは、ＦＢＭＣ波形成分に対応するプロトタイプフィルタの重複係数であり、ｒは正の整数である。
【０２５３】
任意選択で、図３３に示すように、送信側デバイス３２は、
シフト動作情報を受信側に送信するように構成された送信器３２Ｄを更に備えることができる。
【０２５４】
本発明のこの実施形態で提供される送信側デバイスは、１つのシステム内で複数の波形を使用することができる。具体的には、１つの送信側デバイスを使用して複数の波形を同時に実現することができる。これは、１つのシステムが複数のマルチキャリア技術に対応できるようにすることができる、ということである。
【０２５５】
実施形態１１
図３４は、本発明のこの実施形態で提供される受信側デバイス３４を示し、受信側デバイス３４は、図２３に示す周波数分割マルチ波形信号を処理する方法を実行するように構成される。受信側デバイス３４は、
第１の波形成分及び第２の波形成分を含む時間領域信号の受信時点を判定するように構成された判定ユニット３４Ａ、
受信時点に従って時間領域信号を受信するように構成された受信ユニット３４Ｂ、
時間領域信号から周波数領域信号を生成するように構成された生成ユニット３４Ｃであって、周波数領域信号は、第１の波形成分に対応するＭ個の周波数領域シンボルを含む、生成ユニット３４Ｃ、
周波数領域信号の第２の波形成分に対応するサブキャリア上のデータに周波数領域フィルタリングを行って第２の波形成分に対応するＮ個の周波数領域シンボルを取得するように構成された周波数領域フィルタリングユニット３４Ｄ、並びに
Ｍ個の周波数領域シンボル及びＮ個の周波数領域フィルタリング後の周波数領域シンボルに信号検出を行って時間領域信号で搬送される情報を取得するように構成された信号検出ユニット３４Ｅを備える。
【０２５６】
任意選択で、第１の波形成分は直交周波数分割多重化ＯＦＤＭ波形成分であり、第２の波形成分はフィルタバンクマルチキャリアＦＢＭＣ波形成分である。
【０２５７】
任意選択で、受信ユニット３４Ｂは、第１の波形成分及び第２の波形成分を含む時間領域信号に関するシフト動作情報を受信するように更に構成され、シフト動作情報は送信側によって送信される。
【０２５８】
判定ユニット３４Ａは特に、シフト動作情報に従って時間領域信号の受信時点を判定するように構成される。
【０２５９】
上述の実施形態９／実施形態１０で提供される送信側デバイスに対応して、本発明のこの実施形態で提供される受信側デバイスは、１つのシステム内で複数の波形を使用することができる。具体的には、１つの送信側デバイスを使用して複数の波形を同時に実現することができる。これは、１つのシステムが複数のマルチキャリア技術に対応できるようにすることができる、ということである。
【０２６０】
実施形態１２
ハードウェア実装では、上述の実施形態１１の受信ユニットは、受信器とすることができる。判定ユニット、生成ユニット、周波数領域フィルタリングユニット、及び信号検出ユニットは、ハードウェア形態で送信側デバイスのプロセッサに埋め込むか、若しくはプロセッサから独立していることが可能であり、又は、プロセッサを呼び出して上述のユニットに対応する動作を行わせるためにソフトウェア形態で送信側デバイスのメモリに記憶することができる。
【０２６１】
図３５は、本発明のこの実施形態で提供される受信側デバイス３５を示し、受信側デバイス３５は、図２３に示す周波数分割マルチ波形信号を処理する方法を実行するように構成される。受信側デバイス３５は、
メモリ３５Ａ、プロセッサ３５Ｂ、バスシステム３５Ｃ、及び受信器３５Ｄを備える。
【０２６２】
メモリ３５Ａは、コードのセットを記憶するように構成される。そのコードが使用されてプロセッサ３５Ｂを制御して、第１の波形成分及び第２の波形成分を含む時間領域信号の受信時点を判定させる。
【０２６３】
受信器３５Ｄは、受信時点に従って時間領域信号を受信するように構成される。
【０２６４】
上記コードが更に使用されてプロセッサ３５Ｂを制御して、下記の、
時間領域信号から周波数領域信号を生成する動作であって、周波数領域信号は、第１の波形成分に対応するＭ個の周波数領域シンボルを含む、動作、
周波数領域信号の第２の波形成分に対応するサブキャリア上のデータに周波数領域フィルタリングを行って第２の波形成分に対応するＮ個の周波数領域シンボルを取得する動作、並びに
Ｍ個の周波数領域シンボル及びＮ個の周波数領域フィルタリング後の周波数領域シンボルに信号検出を行って時間領域信号で搬送される情報を取得する動作、を実行させる。
【０２６５】
バスシステム３５Ｃ及びメモリ３５Ａについての関連する解説については、上述の実施形態６を参照すべきことに留意されたい。
【０２６６】
任意選択で、第１の波形成分は直交周波数分割多重化ＯＦＤＭ波形成分であり、第２の波形成分はフィルタバンクマルチキャリアＦＢＭＣ波形成分である。
【０２６７】
任意選択で、受信器３５Ｄは、第１の波形成分及び第２の波形成分を含む時間領域信号に関するシフト動作情報を受信するように更に構成され、シフト動作情報は送信側によって送信される。プロセッサ３５Ｂは特に、シフト動作情報に従って時間領域信号の受信時点を判定するように構成される。
【０２６８】
上述の実施形態９／実施形態１０で提供される送信側デバイスに対応して、本発明のこの実施形態で提供される受信側デバイスは、１つのシステム内で複数の波形を使用することができる。具体的には、１つの送信側デバイスを使用して複数の波形を同時に実現することができる。これは、１つのシステムが複数のマルチキャリア技術に対応できるようにすることができる、ということである。
【０２６９】
当業者には、利便で簡潔な説明のために、上述のシステム、装置、及びユニットの詳細な機能プロセスについては、上述の方法の実施形態中の対応するプロセスを参照し、詳細はここでは再度説明されないことが明瞭に理解できよう。
【０２７０】
本出願で提供されるいくつかの実施形態では、開示されるシステム、装置、及び方法は他の方式でも実施可能であることを理解されたい。例えば、記載される装置の実施形態は例示的なものに過ぎない。例えば、ユニットの分割は、単に論理的な機能分割であり、実際の実装では他の分割であってもよい。例えば、複数のユニット又は構成要素を組み合わせるか、若しくは統合して別のシステムにすることができ、又は一部の機能を無視するか、若しくは行わないことも可能である。また、図示又は解説される相互の結合若しくは直接の結合又は通信接続は、いくつかのインターフェースを使用して実現することができる。装置又はユニット間の間接的な結合又は通信接続は、電子形態、機械形態、又は他の形態で実現することができる。
【０２７１】
別々の部分として説明されるユニットは、物理的に別々である場合も、又はそうでない場合もあり、ユニットとして図示される部分は、物理的なユニットである場合も、又はそうでない場合もあり、また１つの場所に置かれる場合も、又は複数のネットワークユニットに分散される場合もある。ユニットの一部又はすべては実際の必要性に応じて選択されて、実施形態の解決法の目的を達成することができる。
【０２７２】
また、本発明の実施形態における機能ユニットは統合して１つの処理ユニットにすることができ、又はユニットそれぞれが物理的に単独で存在することができ、又は２つ以上のユニットが統合されて１つのユニットにされる。統合されたユニットは、ハードウェアの形態で実現することができ、又はソフトウェア機能ユニットに加えてハードウェアの形態で実現することができる。
【０２７３】
上述の統合されたユニットがソフトウェア機能ユニットの形態で実現されるとき、統合されたユニットはコンピュータ読み取り可能な記憶媒体に記憶することができる。ソフトウェア機能ユニットは、記憶媒体に記憶され、コンピュータデバイス（それは、パーソナルコンピュータ、サーバ、又はネットワークデバイスであり得る）に、本発明の実施形態で説明される方法のステップのいくつかを行うように命令するいくつかの命令を含んでいる。上述の記憶媒体には、ＵＳＢフラッシュドライブ、取り外し可能ハードディスク、読出し専用メモリ（Read-Only  Memory，略してＲＯＭ）、ランダムアクセスメモリ（Random  Acccess  Memory，略してＲＡＭ）、磁気ディスク、又は光学ディスクなどのような、プログラムコードを記憶することが可能な任意の媒体が含まれる。
【０２７４】
最後に、上述の実施形態は、本発明の技術的解決法を説明するためのものに過ぎず、本発明を制限するものではないことに留意されたい。本発明について上述の実施形態を参照して詳細に説明したが、当業者は、本発明の実施形態の技術的解決法の主旨及び範囲から逸脱することなく、上述の実施形態で説明される技術的解決法に変更を加えるか、又はその一部の技術的特徴に同等の置き換えを加えることがなお可能であることを理解されたい。
【図１】
2017530611.tif 000041
【図２】
2017530611.tif 000042
【図３】
2017530611.tif 000043
【図４】
2017530611.tif 000044
【図５】
2017530611.tif 000045
【図６】
2017530611.tif 000046
【図７】
2017530611.tif 000047
【図８】
2017530611.tif 000048
【図９】
2017530611.tif 000049
【図１０】
2017530611.tif 000050
【図１１】
2017530611.tif 000051
【図１２】
2017530611.tif 000052
【図１３】
2017530611.tif 000053
【図１４】
2017530611.tif 000054
【図１５】
2017530611.tif 000055
【図１６】
2017530611.tif 000056
【図１７】
2017530611.tif 000057
【図１８】
2017530611.tif 000058
【図１９】
2017530611.tif 000059
【図２０】
2017530611.tif 000060
【図２１】
2017530611.tif 000061
【図２２】
2017530611.tif 000062
【図２３】
2017530611.tif 000063
【図２４】
2017530611.tif 000064
【図２５】
2017530611.tif 000065
【図２６】
2017530611.tif 000066
【図２７】
2017530611.tif 000067
【図２８】
2017530611.tif 000068
【図２９】
2017530611.tif 000069
【図３０】
2017530611.tif 000070
【図３１】
2017530611.tif 000071
【図３２】
2017530611.tif 000072
【図３３】
2017530611.tif 000073
【図３４】
2017530611.tif 000074
【図３５】
2017530611.tif 000075
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
周波数分割マルチ波形信号を生成する方法であって、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するステップであって、Ｍ及びＮはともに正の整数である、ステップと、
前記Ｎ個の周波数領域シンボルに周波数領域フィルタリングを行うステップと、
前記Ｍ個の周波数領域シンボル及び前記Ｎ個の周波数領域フィルタリング後の周波数領域シンボルから時間領域信号を生成するステップとを含む方法。
【請求項２】
前記第１の波形成分は直交周波数分割多重化ＯＦＤＭ波形成分であり、前記第２の波形成分はフィルタバンクマルチキャリアＦＢＭＣ波形成分である請求項１に記載の方法。
【請求項３】
前記ＦＢＭＣ波形成分に対応するサブキャリア間隔は、前記ＯＦＤＭ波形成分に対応するサブキャリア間隔の整数倍である請求項２に記載の方法。
【請求項４】
前記Ｍ個の周波数領域シンボル及び前記Ｎ個の周波数領域フィルタリング後の周波数領域シンボルから時間領域信号を生成する前記ステップは、
前記Ｍ個の周波数領域シンボル及び前記Ｎ個の周波数領域フィルタリング後の周波数領域シンボルから、Ｌ個の時間領域シンボルを含んでいる時間領域信号を生成するステップであって、ＬはＭとＮの和より小さく、前記第１の種類の送信予定データストリームのうちの１つのデータストリームに対応する時間領域シンボルの開始時点が、前記第２の種類の送信予定データストリームのうちの１つのデータストリームに対応する時間領域シンボルの開始時点と同じである場合には、それら２つのデータストリームに対応する周波数領域シンボルは、前記開始時点に属する前記Ｌ個の時間領域シンボルのうちの時間領域シンボルに対応する、ステップを含む請求項１から３のいずれか一項に記載の方法。
【請求項５】
Ｌは１より大きい正の整数であり、前記Ｍ個の周波数領域シンボル及び前記Ｎ個の周波数領域フィルタリング後の周波数領域シンボルから時間領域信号を生成する前記ステップは、
前記Ｍ個の周波数領域シンボル及び前記Ｎ個の周波数領域フィルタリング後の周波数領域シンボルに逆フーリエ変換を行って前記Ｌ個の時間領域シンボルを生成するステップと、
前記Ｌ個の時間領域シンボルのうち最後のＬ−１個の時間領域シンボルにシフト動作を行って、前記Ｌ個の時間領域シンボルのうちａ番目の時間領域シンボルとｂ番目の時間領域シンボルとの間の時間間隔が、前記ａ番目の時間領域シンボルに関係する任意の波形に対応する時間領域シンボル間隔と等しくなるようにするステップであって、前記ａ番目の時間領域シンボルは、前記Ｌ−１個の時間領域シンボルのうちの任意の時間領域シンボルであり、前記ｂ番目の時間領域シンボルは、前記ａ番目の時間領域シンボルより前にあり、前記ａ番目の時間領域シンボルに一番近く、且つ前記ａ番目の時間領域シンボルに関係する前記任意の波形を含む時間領域シンボルである、ステップと、
前記Ｌ個の時間領域シンボルのうち１番目の時間領域シンボル及び前記Ｌ−１個のシフト後の時間領域シンボルに重畳動作を行って前記時間領域信号を生成するステップとを含む請求項４に記載の方法。
【請求項６】
周波数分割マルチ波形信号を処理する方法であって、
第１の波形成分及び第２の波形成分を含む時間領域信号の受信時点を判定するステップと、
前記受信時点に従って前記時間領域信号を受信するステップと、
前記時間領域信号から周波数領域信号を生成するステップであって、前記周波数領域信号は、前記第１の波形成分に対応するＭ個の周波数領域シンボルを含む、ステップと、
前記周波数領域信号の前記第２の波形成分に対応するサブキャリア上のデータに周波数領域フィルタリングを行って前記第２の波形成分に対応するＮ個の周波数領域シンボルを取得するステップと、
前記Ｍ個の周波数領域シンボル及び前記Ｎ個の周波数領域フィルタリング後の周波数領域シンボルに信号検出を行って前記時間領域信号で搬送される情報を取得するステップとを含む方法。
【請求項７】
前記第１の波形成分は直交周波数分割多重化ＯＦＤＭ波形成分であり、前記第２の波形成分はフィルタバンクマルチキャリアＦＢＭＣ波形成分である請求項６に記載の方法。
【請求項８】
第１の波形成分及び第２の波形成分を含む時間領域信号の受信時点を判定する前記ステップの前に、当該方法が、
前記第１の波形成分及び前記第２の波形成分を含む前記時間領域信号に関するシフト動作情報を受信するステップを更に含み、前記シフト動作情報は送信側によって送信され、
第１の波形成分及び第２の波形成分を含む時間領域信号の受信時点を判定する前記ステップは、
前記シフト動作情報に従って前記時間領域信号の前記受信時点を判定するステップを含む請求項６又は７に記載の方法。
【請求項９】
送信側デバイスであって、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するように構成された対応付けユニットであって、Ｍ及びＮはともに正の整数である、対応付けユニットと、
前記Ｎ個の周波数領域シンボルに周波数領域フィルタリングを行うように構成された周波数領域フィルタリングユニットと、
前記Ｍ個の周波数領域シンボル及び前記Ｎ個の周波数領域フィルタリング後の周波数領域シンボルから時間領域信号を生成するように構成された生成ユニットとを備える送信側デバイス。
【請求項１０】
前記第１の波形成分は直交周波数分割多重化ＯＦＤＭ波形成分であり、前記第２の波形成分はフィルタバンクマルチキャリアＦＢＭＣ波形成分である請求項９に記載の送信側デバイス。
【請求項１１】
前記ＦＢＭＣ波形成分に対応するサブキャリア間隔は、前記ＯＦＤＭ波形成分に対応するサブキャリア間隔の整数倍である請求項１０に記載の送信側デバイス。
【請求項１２】
前記生成ユニットは、前記Ｍ個の周波数領域シンボル及び前記Ｎ個の周波数領域フィルタリング後の周波数領域シンボルから、Ｌ個の時間領域シンボルを含んでいる時間領域信号を生成するように構成され、ＬはＭとＮの和より小さく、前記第１の種類の送信予定データストリームのうちの１つのデータストリームに対応する時間領域シンボルの開始時点が、前記第２の種類の送信予定データストリームのうちの１つのデータストリームに対応する時間領域シンボルの開始時点と同じである場合には、それら２つのデータストリームに対応する周波数領域シンボルは、前記開始時点に属する前記Ｌ個の時間領域シンボルのうちの時間領域シンボルに対応する請求項９から１１のいずれか一項に記載の送信側デバイス。
【請求項１３】
Ｌは１より大きい正の整数であり、前記生成ユニットは、
前記Ｍ個の周波数領域シンボル及び前記Ｎ個の周波数領域フィルタリング後の周波数領域シンボルに逆フーリエ変換を行って前記Ｌ個の時間領域シンボルを生成し、
前記Ｌ個の時間領域シンボルのうち最後のＬ−１個の時間領域シンボルにシフト動作を行って、前記Ｌ個の時間領域シンボルのうちａ番目の時間領域シンボルとｂ番目の時間領域シンボルとの間の時間間隔が、前記ａ番目の時間領域シンボルに関係する任意の波形に対応する時間領域シンボル間隔と等しくなるようにし、前記ａ番目の時間領域シンボルは、前記Ｌ−１個の時間領域シンボルのうちの任意の時間領域シンボルであり、前記ｂ番目の時間領域シンボルは、前記ａ番目の時間領域シンボルより前にあり、前記ａ番目の時間領域シンボルに一番近く、且つ前記ａ番目の時間領域シンボルに関係する前記任意の波形を含む時間領域シンボルであり、
前記Ｌ個の時間領域シンボルのうち１番目の時間領域シンボル及び前記Ｌ−１個のシフト後の時間領域シンボルに重畳動作を行って前記時間領域信号を生成する、ように構成される請求項１２に記載の送信側デバイス。
【請求項１４】
受信側デバイスであって、
第１の波形成分及び第２の波形成分を含む時間領域信号の受信時点を判定するように構成された判定ユニットと、
前記受信時点に従って前記時間領域信号を受信するように構成された受信ユニットと、
前記時間領域信号から周波数領域信号を生成するように構成された生成ユニットであって、前記周波数領域信号は、前記第１の波形成分に対応するＭ個の周波数領域シンボルを含む、生成ユニットと、
前記周波数領域信号の前記第２の波形成分に対応するサブキャリア上のデータに周波数領域フィルタリングを行って前記第２の波形成分に対応するＮ個の周波数領域シンボルを取得するように構成された周波数領域フィルタリングユニットと、
前記Ｍ個の周波数領域シンボル及び前記Ｎ個の周波数領域フィルタリング後の周波数領域シンボルに信号検出を行って前記時間領域信号で搬送される情報を取得するように構成された信号検出ユニットとを備える受信側デバイス。
【請求項１５】
前記第１の波形成分は直交周波数分割多重化ＯＦＤＭ波形成分であり、前記第２の波形成分はフィルタバンクマルチキャリアＦＢＭＣ波形成分である請求項１４に記載の受信側デバイス。
【請求項１６】
前記受信ユニットは、前記第１の波形成分及び前記第２の波形成分を含む前記時間領域信号に関するシフト動作情報を受信するように更に構成され、前記シフト動作情報は送信側によって送信され、
前記判定ユニットは、前記シフト動作情報に従って前記時間領域信号の前記受信時点を判定するように構成される請求項１４又は１５に記載の受信側デバイス。
【手続補正２】
【補正対象書類名】明細書
【補正対象項目名】０００９
【補正方法】変更
【補正の内容】
【０００９】
第１の態様、又は第１の態様の第１の可能な実装方式から第３の可能な実装方式のいずれか１つに関連して、第４の可能な実装方式では、第１の波形成分に対応するサブキャリア間隔は、第２の波形成分に対応するサブキャリア間隔と異なる。
【手続補正３】
【補正対象書類名】明細書
【補正対象項目名】００３４
【補正方法】変更
【補正の内容】
【００３４】
第５の態様、又は第５の態様の第１の可能な実装方式から第３の可能な実装方式のいずれか１つに関連して、第４の可能な実装方式では、第１の波形成分に対応するサブキャリア間隔は、第２の波形成分に対応するサブキャリア間隔と異なる。
【手続補正４】
【補正対象書類名】明細書
【補正対象項目名】００５４
【補正方法】変更
【補正の内容】
【００５４】
第８の態様又は第８の態様の第１の可能な実装方式に関連して、第２の可能な実装方式では、受信ユニットは、第１の波形成分及び第２の波形成分を含む時間領域信号に関するシフト動作情報を受信するように更に構成され、シフト動作情報は送信側によって送信され、
判定ユニットは特に、シフト動作情報に従って時間領域信号の受信時点を判定するように構成される。
【手続補正５】
【補正対象書類名】明細書
【補正対象項目名】００５９
【補正方法】変更
【補正の内容】
【００５９】
第９の態様、又は第９の態様の第１の可能な実装方式から第３の可能な実装方式のいずれか１つに関連して、第４の可能な実装方式では、第１の波形成分に対応するサブキャリア間隔は、第２の波形成分に対応するサブキャリア間隔と異なる。
【手続補正６】
【補正対象書類名】明細書
【補正対象項目名】００８９
【補正方法】変更
【補正の内容】
【００８９】
１つの波形成分は数個のサブキャリアに対応し、異なる波形成分は異なるサブキャリアに対応する。一般に、１つの波形成分に対応するサブキャリアのうちの２つの隣接するサブキャリアの間には同じ間隔がある。すなわち、１つの波形成分は１つのサブキャリア間隔に対応し、異なる波形成分に対応するサブキャリア間隔は、同じである場合も、又は異なる場合もある。任意選択で、第１の波形成分に対応するサブキャリア間隔は、第２の波形成分に対応するサブキャリア間隔と異なる。例示として、第１の波形成分に対応するサブキャリアと、第２の波形成分に対応するサブキャリアは、同じ基本サブキャリアグループの中の異なる基本サブキャリアである。基本サブキャリアグループ内の２つの隣接する基本サブキャリアの間の間隔（すなわち基本サブキャリア間隔）は、周波数領域で表すことが可能な最小の周波数間隔である。さらに、異なる波形成分に対応するサブキャリア上のデータ間の干渉を低減するために、この例では、第１の波形成分に対応するサブキャリアと第２の波形成分に対応するサブキャリアとの間に少なくともｒ１＋ｒ２−１個の基本サブキャリア分の間隔があり、ここで、ｒ１は、第１の波形成分に対応するサブキャリア間隔がｒ１個の基本サブキャリア分の間隔に相当することを意味する正の整数であり、ｒ２は、第２の波形成分に対応するサブキャリア間隔がｒ２個の基本サブキャリア分の間隔に相当することを意味する正の整数である。
【手続補正７】
【補正対象書類名】明細書
【補正対象項目名】００９２
【補正方法】変更
【補正の内容】
【００９２】
「第１の種類の送信予定データストリーム」は、第１の波形成分で送信すべきデータストリームのことを指す。「第２の種類の送信予定データストリーム」は、第２の波形成分で送信すべきデータストリームのことを指す。特定の実装では、送信側は、受信側のチャネル特性などの要因に従って、どの送信予定データストリームを第１の種類の送信予定データストリームとして使用するか、及びどの送信予定データストリームを第２の種類の送信予定データストリームとして使用するかを決定することができる。また、受信側は、受信側のチャネル特性に従って、相対的に受信側に適する波形成分を選択し、その相対的に受信側に適する波形成分を含む情報を送信側にフィードバックすることができる。送信側はその波形成分を使用して、受信側のための送信予定データストリームを搬送することができ、その波形を使用して受信側と通信する。システム内には多数の受信側が存在し、したがって、同じシステム内のすべての受信側が同じ波形を使用する従来技術と比べると、この解決法は、システム性能を向上させることができる。
【手続補正８】
【補正対象書類名】明細書
【補正対象項目名】０１１４
【補正方法】変更
【補正の内容】
【０１１４】
例１：第１のＦＢＭＣ波形成分に対応するプロトタイプフィルタの重複係数が４であり、第２のＦＢＭＣ波形成分に対応するプロトタイプフィルタの重複係数が２であると仮定する。すると、第１のＦＢＭＣ波形成分に対応するサブキャリア間隔は、基本サブキャリア間隔の４倍になり、第２のＦＢＭＣ波形成分に対応するサブキャリア間隔は、基本サブキャリア間隔の２倍になる。第１のＦＢＭＣ波形成分の時間領域シンボル間隔は
（外１１）
2017530611.tif 000076
であり、第２のＦＢＭＣ波形成分の時間領域シンボル間隔は
（外１２）
2017530611.tif 000077
である。第２のＦＢＭＣ波形成分の時間領域シンボル間隔は、第１のＦＢＭＣ波形成分の時間領域シンボル間隔の２倍である。第１のＦＢＭＣ波形成分の時間領域シンボルの開始時点は、
（外１３）
2017530611.tif 000078
であり、第２のＦＢＭＣ波形成分の時間領域シンボルの開始時点は、
（外１４）
2017530611.tif 000079
であり、ここでｋは正の整数である。
【手続補正９】
【補正対象書類名】明細書
【補正対象項目名】０１４３
【補正方法】変更
【補正の内容】
【０１４３】
具体的には、時間領域信号にフーリエ変換を行って周波数領域信号を生成する。本明細書における「フーリエ変換」は、数学的手法又は物理学的手法で実施される様々なフーリエ変換とそれらの変形例を含む。
【手続補正１０】
【補正対象書類名】明細書
【補正対象項目名】０１９６
【補正方法】変更
【補正の内容】
【０１９６】
任意選択で、第１の波形成分に対応するサブキャリア間隔は、第２の波形成分に対応するサブキャリア間隔と異なる。
【手続補正１１】
【補正対象書類名】明細書
【補正対象項目名】０２１０
【補正方法】変更
【補正の内容】
【０２１０】
任意選択で、第１の波形成分に対応するサブキャリア間隔は、第２の波形成分に対応するサブキャリア間隔と異なる。
【手続補正１２】
【補正対象書類名】明細書
【補正対象項目名】０２２１
【補正方法】変更
【補正の内容】
【０２２１】
上述の実施形態５／実施形態６で提供される送信側デバイスに対応して、本発明のこの実施形態で提供される受信側デバイスは、１つのシステム内で複数の波形を使用することができる。具体的には、１つの受信側デバイスを使用して複数の波形を同時に実現することができる。これは、１つのシステムが複数のマルチキャリア技術に対応できるようにすることができる、ということである。
【手続補正１３】
【補正対象書類名】明細書
【補正対象項目名】０２３１
【補正方法】変更
【補正の内容】
【０２３１】
上述の実施形態５／実施形態６で提供される送信側デバイスに対応して、本発明のこの実施形態で提供される受信側デバイスは、１つのシステム内で複数の波形を使用することができる。具体的には、１つの受信側デバイスを使用して複数の波形を同時に実現することができる。これは、１つのシステムが複数のマルチキャリア技術に対応できるようにすることができる、ということである。
【手続補正１４】
【補正対象書類名】明細書
【補正対象項目名】０２３２
【補正方法】変更
【補正の内容】
【０２３２】
実施形態９
図３０は、本発明のこの実施形態で提供される送信側デバイス３０を示し、送信側デバイス３０は、図１６に示す周波数分割マルチ波形信号を生成する方法を実行するように構成される。送信側デバイス３０は、
第１の種類の送信予定データストリームを第１の波形成分に対応するサブキャリアに対応付けてＭ個の周波数領域シンボルを生成し、第２の種類の送信予定データストリームを第２の波形成分に対応するサブキャリアに対応付けてＮ個の周波数領域シンボルを生成するように構成された対応付けユニット３０Ａであって、Ｍ及びＮはともに正の整数である、対応付けユニット３０Ａ、
Ｎ個の周波数領域シンボルに周波数領域フィルタリングを行うように構成された周波数領域フィルタリングユニット３０Ｂ、並びに
Ｍ個の周波数領域シンボル及びＮ個の周波数領域フィルタリング後の周波数領域シンボルから時間領域信号を生成するように構成された生成ユニット３０Ｃを備える。
【手続補正１５】
【補正対象書類名】明細書
【補正対象項目名】０２５９
【補正方法】変更
【補正の内容】
【０２５９】
上述の実施形態９／実施形態１０で提供される送信側デバイスに対応して、本発明のこの実施形態で提供される受信側デバイスは、１つのシステム内で複数の波形を使用することができる。具体的には、１つの受信側デバイスを使用して複数の波形を同時に実現することができる。これは、１つのシステムが複数のマルチキャリア技術に対応できるようにすることができる、ということである。
【手続補正１６】
【補正対象書類名】明細書
【補正対象項目名】０２６０
【補正方法】変更
【補正の内容】
【０２６０】
実施形態１２
ハードウェア実装では、上述の実施形態１１の受信ユニットは、受信器とすることができる。判定ユニット、生成ユニット、周波数領域フィルタリングユニット、及び信号検出ユニットは、ハードウェア形態で受信側デバイスのプロセッサに埋め込むか、若しくはプロセッサから独立していることが可能であり、又は、プロセッサを呼び出して上述のユニットに対応する動作を行わせるためにソフトウェア形態で受信側デバイスのメモリに記憶することができる。
【手続補正１７】
【補正対象書類名】明細書
【補正対象項目名】０２６８
【補正方法】変更
【補正の内容】
【０２６８】
上述の実施形態９／実施形態１０で提供される送信側デバイスに対応して、本発明のこの実施形態で提供される受信側デバイスは、１つのシステム内で複数の波形を使用することができる。具体的には、１つの受信側デバイスを使用して複数の波形を同時に実現することができる。これは、１つのシステムが複数のマルチキャリア技術に対応できるようにすることができる、ということである。
【手続補正１８】
【補正対象書類名】明細書
【補正対象項目名】０２７４
【補正方法】変更
【補正の内容】
【０２７４】
最後に、上述の実施形態は、本発明の技術的解決法を説明するためのものに過ぎず、本発明を制限するものではないことに留意されたい。本発明について上述の実施形態を参照して詳細に説明したが、当業者は、本発明の実施形態の技術的解決法の範囲から逸脱することなく、上述の実施形態で説明される技術的解決法に変更を加えるか、又はその一部の技術的特徴に同等の置き換えを加えることがなお可能であることを理解されたい。
【国際調査報告】
2017530611.tif 000080
2017530611.tif 000081
2017530611.tif 000082
2017530611.tif 000083